(57)【要約】【課題】機関ブレーキ走行中における走行モードの切替えに伴うショックを抑制する。【解決手段】エンジンブレーキ走行中にＵ／Ｄエンブレモード（第１走行モード）とＯ／Ｄエンブレモード（第２走行モード）との間で走行モードを切り替えるときには、その走行モードの切替え過渡中にエンジン回転速度Ｎeが一定に維持されるようにその走行モードの切替えが実行されるので、その走行モードの切替え時にエンジン回転速度Ｎeの変化が抑制されてエンジンブレーキトルクの変動が抑制され得る。よって、エンジンブレーキ走行中における走行モードの切替え（つまりエンブレモードの切替え）に伴うショックを抑制することができる。【選択図】図１９
2019055717.tif 000002
【特許請求の範囲】
【請求項１】
第１回転要素と第２回転要素と第３回転要素とを有して機関が動力伝達可能に連結された第１差動機構と、第４回転要素と第５回転要素と第６回転要素とを有して第１回転機の運転状態が制御されることにより差動状態が制御される第２差動機構と、駆動輪と連結される出力回転部材に動力伝達可能に連結された第２回転機とを備えた車両の、制御装置であって、
前記第１回転要素は、前記機関が動力伝達可能に連結されており、
前記第３回転要素は、前記第６回転要素と連結されており、
前記第４回転要素は、前記第１回転機が動力伝達可能に連結されており、
前記第５回転要素は、前記出力回転部材に連結されており、
前記車両は、前記第１回転要素、前記第２回転要素、及び前記第３回転要素のうちの何れか２つの回転要素を連結する第１係合装置と、前記第２回転要素と前記第４回転要素及び前記第５回転要素のうちの何れか一方の回転要素とを連結する第２係合装置とを更に備え、前記第１係合装置の係合によって前記機関による制動トルクを付与して走行することが可能な第１走行モードと、前記第２係合装置の係合によって前記機関による制動トルクを付与して走行することが可能な第２走行モードとが選択的に成立させられるものであり、
前記機関による制動トルクを付与した走行中に前記第１走行モードと前記第２走行モードとの間で走行モードを切り替えるときには、前記走行モードの切替え過渡中に前記機関の回転速度が一定に維持されるように前記走行モードの切替えを実行する走行モード制御部を含むことを特徴とする車両の制御装置。
【請求項２】
前記第１差動機構及び前記第２差動機構の各回転要素は、前記第１係合装置及び前記第２係合装置の係合によって一体回転させられるものであり、
前記走行モード制御部は、前記第１差動機構及び前記第２差動機構の各回転要素が一体回転させられる状態のときに前記第１係合装置及び前記第２係合装置の各作動状態を切り替えるように制御することで前記走行モードの切替えを実行することを特徴とする請求項１に記載の車両の制御装置。
【請求項３】
前記走行モード制御部は、前記第１係合装置及び前記第２係合装置のうちの前記走行モードの切替え前に係合されている係合装置を解放しつつ前記第１係合装置及び前記第２係合装置のうちの前記走行モードの切替え前に解放されている係合装置を係合するように制御することで前記走行モードの切替えを実行すると共に、前記走行モードの切替え過渡中には前記第１回転機によって前記機関の回転速度を一定に維持するように制御することを特徴とする請求項１に記載の車両の制御装置。
【請求項４】
前記走行モード制御部は、前記第３回転要素の回転変化中に、前記第１回転機によって前記機関の回転速度を一定に維持するように制御することを特徴とする請求項３に記載の車両の制御装置。
【請求項５】
前記第１差動機構及び前記第２差動機構の各回転要素は、前記第１係合装置及び前記第２係合装置の係合によって一体回転させられるものであり、
前記走行モード制御部は、
前記第１差動機構及び前記第２差動機構の各回転要素が一体回転させられる状態のときに前記第１係合装置及び前記第２係合装置の各作動状態を切り替えるように制御することで前記走行モードの切替えを実行する同期切替え制御と、
前記第１係合装置及び前記第２係合装置のうちの前記走行モードの切替え前に係合されている係合装置を解放しつつ前記第１係合装置及び前記第２係合装置のうちの前記走行モードの切替え前に解放されている係合装置を係合するように制御することで前記走行モードの切替えを実行すると共に、前記走行モードの切替え過渡中には前記第１回転機によって前記機関の回転速度を一定に維持するように制御する非同期切替え制御とを選択的に実行することが可能であり、
前記同期切替え制御を実行できる走行状態であるときには、前記同期切替え制御を前記非同期切替え制御に優先して実行することを特徴とする請求項１に記載の車両の制御装置。
【請求項６】
車速の変化に伴って前記第１差動機構及び前記第２差動機構の各回転要素が一体回転させられる状態に近づくか否かに基づいて、前記同期切替え制御を実行できる走行状態であるか否かを判定する状態判定部を更に含むことを特徴とする請求項５に記載の車両の制御装置。
【請求項７】
前記走行モード制御部は、前記同期切替え制御を実行できる走行状態であると判定された場合には、前記第１差動機構及び前記第２差動機構の各回転要素が実際に一体回転させられる状態となるまで前記同期切替え制御の実行を待機することを特徴とする請求項６に記載の車両の制御装置。
【請求項８】
前記走行モード制御部は、何れの走行モードを成立させるかを決める予め定められた関係を用いて前記第１走行モード及び前記第２走行モードのうちの一方の走行モードでの走行中に他方の走行モードへ切り替える前記走行モードの切替えが生じたか否かを判定し、前記走行モードの切替えが生じたと判定した場合に前記第１走行モードと前記第２走行モードとの間で走行モードを切り替えることを特徴とする請求項１から７の何れか１項に記載の車両の制御装置。
【発明の詳細な説明】
【技術分野】
【０００１】
本発明は、機関の動力を伝達する差動機構を備えた車両の制御装置に関するものである。
【背景技術】
【０００２】
機関の動力を伝達する差動機構を備えた車両の制御装置が良く知られている。例えば、特許文献１に記載された制駆動力制御装置がそれである。この特許文献１には、機関が動力伝達可能に連結されると共に第１回転機の運転状態が制御されることにより差動状態が制御される差動機構と、駆動輪と連結される出力回転部材に動力伝達可能に連結された第２回転機とを備えた車両において、必要な機関ブレーキ力となるような機関回転速度の下限ガード値を設定すると共に、その下限ガード値に基づいて、第１回転機を駆動制御することによって機関回転速度を制御することが開示されている。
【先行技術文献】
【特許文献】
【０００３】
【特許文献１】特開２００９−２２８２号公報
【発明の概要】
【発明が解決しようとする課題】
【０００４】
ところで、第１回転要素と第２回転要素と第３回転要素とを有して機関が動力伝達可能に連結された第１差動機構と、第４回転要素と第５回転要素と第６回転要素とを有して第１回転機の運転状態が制御されることにより差動状態が制御される第２差動機構と、駆動輪と連結される出力回転部材に動力伝達可能に連結された第２回転機とを備えた車両において、第１差動機構における各要素の連結状態を変更する係合装置や第１差動機構と第２差動機構との連結状態を変更する係合装置などの複数の係合装置を追加することで、第２差動機構単独での動力分割比とは異なる動力分割比の差動機構を構成すると共に、複数の係合装置の各々の作動状態を切り替えることにより複数の走行モードを選択的に成立させることが考えられる。異なる動力分割比にて各々差動状態を制御して走行を行うことが可能な車両において、機関による制動トルク（機関ブレーキトルクともいう）を付与して走行することが可能な異なる走行モードが選択的に成立させられる場合に、機関ブレーキを付与した走行中（機関ブレーキ走行中ともいう）に走行モードの切替えが発生する可能性がある。一方で、機関ブレーキ走行中に機関ブレーキトルクが変動するとショックが発生する可能性がある。機関ブレーキ走行中における走行モードの切替えに関して、検討の余地がある。
【０００５】
本発明は、以上の事情を背景として為されたものであり、その目的とするところは、機関ブレーキ走行中における走行モードの切替えに伴うショックを抑制することができる車両の制御装置を提供することにある。
【課題を解決するための手段】
【０００６】
第１の発明の要旨とするところは、（ａ）第１回転要素と第２回転要素と第３回転要素とを有して機関が動力伝達可能に連結された第１差動機構と、第４回転要素と第５回転要素と第６回転要素とを有して第１回転機の運転状態が制御されることにより差動状態が制御される第２差動機構と、駆動輪と連結される出力回転部材に動力伝達可能に連結された第２回転機とを備えた車両の、制御装置であって、（ｂ）前記第１回転要素は、前記機関が動力伝達可能に連結されており、（ｃ）前記第３回転要素は、前記第６回転要素と連結されており、（ｄ）前記第４回転要素は、前記第１回転機が動力伝達可能に連結されており、（ｅ）前記第５回転要素は、前記出力回転部材に連結されており、（ｆ）前記車両は、前記第１回転要素、前記第２回転要素、及び前記第３回転要素のうちの何れか２つの回転要素を連結する第１係合装置と、前記第２回転要素と前記第４回転要素及び前記第５回転要素のうちの何れか一方の回転要素とを連結する第２係合装置とを更に備え、前記第１係合装置の係合によって前記機関による制動トルクを付与して走行することが可能な第１走行モードと、前記第２係合装置の係合によって前記機関による制動トルクを付与して走行することが可能な第２走行モードとが選択的に成立させられるものであり、（ｇ）前記機関による制動トルクを付与した走行中に前記第１走行モードと前記第２走行モードとの間で走行モードを切り替えるときには、前記走行モードの切替え過渡中に前記機関の回転速度が一定に維持されるように前記走行モードの切替えを実行する走行モード制御部を含むことにある。
【０００７】
また、第２の発明は、前記第１の発明に記載の車両の制御装置において、前記第１差動機構及び前記第２差動機構の各回転要素は、前記第１係合装置及び前記第２係合装置の係合によって一体回転させられるものであり、前記走行モード制御部は、前記第１差動機構及び前記第２差動機構の各回転要素が一体回転させられる状態のときに前記第１係合装置及び前記第２係合装置の各作動状態を切り替えるように制御することで前記走行モードの切替えを実行することにある。
【０００８】
また、第３の発明は、前記第１の発明に記載の車両の制御装置において、前記走行モード制御部は、前記第１係合装置及び前記第２係合装置のうちの前記走行モードの切替え前に係合されている係合装置を解放しつつ前記第１係合装置及び前記第２係合装置のうちの前記走行モードの切替え前に解放されている係合装置を係合するように制御することで前記走行モードの切替えを実行すると共に、前記走行モードの切替え過渡中には前記第１回転機によって前記機関の回転速度を一定に維持するように制御することにある。
【０００９】
また、第４の発明は、前記第３の発明に記載の車両の制御装置において、前記走行モード制御部は、前記第３回転要素の回転変化中に、前記第１回転機によって前記機関の回転速度を一定に維持するように制御することにある。
【００１０】
また、第５の発明は、前記第１の発明に記載の車両の制御装置において、前記第１差動機構及び前記第２差動機構の各回転要素は、前記第１係合装置及び前記第２係合装置の係合によって一体回転させられるものであり、前記走行モード制御部は、前記第１差動機構及び前記第２差動機構の各回転要素が一体回転させられる状態のときに前記第１係合装置及び前記第２係合装置の各作動状態を切り替えるように制御することで前記走行モードの切替えを実行する同期切替え制御と、前記第１係合装置及び前記第２係合装置のうちの前記走行モードの切替え前に係合されている係合装置を解放しつつ前記第１係合装置及び前記第２係合装置のうちの前記走行モードの切替え前に解放されている係合装置を係合するように制御することで前記走行モードの切替えを実行すると共に、前記走行モードの切替え過渡中には前記第１回転機によって前記機関の回転速度を一定に維持するように制御する非同期切替え制御とを選択的に実行することが可能であり、前記同期切替え制御を実行できる走行状態であるときには、前記同期切替え制御を前記非同期切替え制御に優先して実行することにある。
【００１１】
また、第６の発明は、前記第５の発明に記載の車両の制御装置において、車速の変化に伴って前記第１差動機構及び前記第２差動機構の各回転要素が一体回転させられる状態に近づくか否かに基づいて、前記同期切替え制御を実行できる走行状態であるか否かを判定する状態判定部を更に含むことにある。
【００１２】
また、第７の発明は、前記第６の発明に記載の車両の制御装置において、前記走行モード制御部は、前記同期切替え制御を実行できる走行状態であると判定された場合には、前記第１差動機構及び前記第２差動機構の各回転要素が実際に一体回転させられる状態となるまで前記同期切替え制御の実行を待機することにある。
【００１３】
また、第８の発明は、前記第１の発明から第７の発明の何れか１つに記載の車両の制御装置において、前記走行モード制御部は、何れの走行モードを成立させるかを決める予め定められた関係を用いて前記第１走行モード及び前記第２走行モードのうちの一方の走行モードでの走行中に他方の走行モードへ切り替える前記走行モードの切替えが生じたか否かを判定し、前記走行モードの切替えが生じたと判定した場合に前記第１走行モードと前記第２走行モードとの間で走行モードを切り替えることにある。
【発明の効果】
【００１４】
前記第１の発明によれば、機関ブレーキ走行中に第１走行モードと第２走行モードとの間で走行モードを切り替えるときには、その走行モードの切替え過渡中に機関の回転速度が一定に維持されるようにその走行モードの切替えが実行されるので、その走行モードの切替え時に機関の回転速度の変化が抑制されて機関ブレーキトルクの変動が抑制され得る。よって、機関ブレーキ走行中における走行モードの切替えに伴うショックを抑制することができる。
【００１５】
また、前記第２の発明によれば、第１差動機構及び第２差動機構の各回転要素が一体回転させられる状態のときに第１係合装置及び第２係合装置の各作動状態を切り替えるように制御されることで走行モードの切替えが実行されるので、その走行モードの切替え過渡中に第１差動機構及び第２差動機構の各回転要素の回転速度の変化が抑制されて、機関の回転速度が一定に維持されるようにその走行モードの切替えが実行される。
【００１６】
また、前記第３の発明によれば、第１係合装置及び第２係合装置のうちの走行モードの切替え前に係合されている係合装置を解放しつつ第１係合装置及び第２係合装置のうちの走行モードの切替え前に解放されている係合装置を係合するように制御されることで走行モードの切替えが実行されると共に、その走行モードの切替え過渡中には第１回転機によって機関の回転速度を一定に維持するように制御されるので、その走行モードの切替え過渡中に機関の回転速度が一定に維持されるようにその走行モードの切替えが実行される。
【００１７】
また、前記第４の発明によれば、第３回転要素の回転変化中に第１回転機によって機関の回転速度を一定に維持するように制御されるので、機関の回転速度の変化が適切に抑制され得る。
【００１８】
また、前記第５の発明によれば、機関ブレーキ走行中に第１走行モードと第２走行モードとの間で走行モードを切り替えるときには、同期切替え制御と非同期切替え制御とが選択的に実行されるので、走行モードの切替え過渡中に機関の回転速度が一定に維持されるようにその走行モードの切替えが実行される。又、同期切替え制御を実行できる走行状態であるときにはその同期切替え制御が非同期切替え制御に優先して実行されるので、第１回転機による機関の回転制御を行うことなく係合装置の各作動状態を切り替えるだけの単一の制御で機関の回転速度が一定に維持されるようにその走行モードの切替えが実行される機会が増やされる。
【００１９】
また、前記第６の発明によれば、車速の変化に伴って第１差動機構及び第２差動機構の各回転要素が一体回転させられる状態に近づくか否かに基づいて、同期切替え制御を実行できる走行状態であるか否かが判定されるので、同期切替え制御の実行を優先しつつ、同期切替え制御と非同期切替え制御とが選択的に実行され得る。
【００２０】
また、前記第７の発明によれば、同期切替え制御を実行できる走行状態であると判定された場合には、第１差動機構及び第２差動機構の各回転要素が実際に一体回転させられる状態となるまでその同期切替え制御の実行が待機されるので、第１差動機構及び第２差動機構の各回転要素が一体回転させられる状態のときに第１係合装置及び第２係合装置の各作動状態を切り替えるように適切に制御される。
【００２１】
また、前記第８の発明によれば、予め定められた関係を用いて走行モードの切替えが生じたか否かが判定され、その走行モードの切替えが生じたと判定された場合に走行モードが切り替えられるので、走行状態に応じた走行モードにて機関ブレーキが作用させられると共に、走行モードの切替え時には機関ブレーキトルクの変動が抑制される。
【図面の簡単な説明】
【００２２】
【図１】本発明が適用される車両の走行に関わる各部の概略構成を説明する図であると共に、その各部を制御する為の制御系統の要部を説明する図である。
【図２】係合装置の作動状態を制御する油圧制御回路の一例を示す図である。
【図３】各走行モードにおける各係合装置の各作動状態を示す図表である。
【図４】単独駆動ＥＶモード時の共線図である。
【図５】両駆動ＥＶモード時の共線図である。
【図６】Ｕ／Ｄインプットスプリットでのスタンバイモード時の共線図である。
【図７】Ｏ／Ｄインプットスプリットでのスタンバイモード時の共線図である。
【図８】Ｕ／Ｄインプットスプリットでのエンブレ併用モード時の共線図である。
【図９】Ｏ／Ｄインプットスプリットでのエンブレ併用モード時の共線図である。
【図１０】ＨＶ走行モードのＵ／ＤＨＶモード時の前進走行での共線図である。
【図１１】ＨＶ走行モードのＯ／ＤＨＶモード時の前進走行での共線図である。
【図１２】ＨＶ走行モードのＵ／ＤＨＶモード時の後進走行での共線図であり、エンジン逆転入力の場合である。
【図１３】ＨＶ走行モードのＵ／ＤＨＶモード時の後進走行での共線図であり、エンジン正転入力の場合である。
【図１４】ＨＶ走行モードのＯ／ＤＨＶモード時の後進走行での共線図であり、エンジン正転入力の場合である。
【図１５】ＨＶ走行モードの固定段モード時の共線図であり、直結の場合である。
【図１６】ＨＶ走行モードの固定段モード時の共線図であり、出力軸固定の場合である。
【図１７】エンジン走行とモータ走行との切替制御に用いる走行モード切替マップの一例を示す図であって、バッテリ容量を保持した状態で走行する場合である。
【図１８】エンジン走行とモータ走行との切替制御に用いる走行モード切替マップの一例を示す図であって、バッテリ容量を消費しながら走行する場合である。
【図１９】電子制御装置の制御作動の要部すなわちエンジンブレーキ走行中におけるエンブレモードの切替えに伴うショックを抑制する為の制御作動を説明するフローチャートである。
【図２０】図１９のフローチャートに示す制御作動を実行した場合のタイムチャートの一例を示す図である。
【図２１】本発明が適用される車両の概略構成を説明する図であって、図１の車両とは別の車両を示す図である。
【図２２】図２１の車両におけるＵ／ＤＨＶモード（前進）時の共線図である。
【図２３】図２１の車両におけるＯ／ＤＨＶモード（前進）時の共線図である。
【図２４】本発明が適用される車両の概略構成を説明する図であって、図１の車両とは別の車両を示す図である。
【図２５】図２４の車両におけるＵ／ＤＨＶモード（前進）のロー入力時の共線図である。
【図２６】図２４の車両におけるＵ／ＤＨＶモード（前進）のハイ入力時の共線図である。
【図２７】図２４の車両におけるＯ／ＤＨＶモード（前進）時の共線図である。
【図２８】図２４の車両において、各走行モードにおける各係合装置の各作動状態を示す図表である。
【図２９】本発明が適用される車両の概略構成を説明する図であって、図１の車両とは別の車両を示す図である。
【図３０】図２９の車両におけるＵ／ＤＨＶモード（前進）時の共線図である。
【図３１】図２９の車両におけるＯ／ＤＨＶモード（前進）時の共線図である。
【図３２】図２９の車両において、各走行モードにおける各係合装置の各作動状態を示す図表である。
【図３３】本発明が適用される車両の概略構成を説明する図であって、図１の車両とは別の車両を示す図である。
【図３４】図３３の車両におけるＵ／ＤＨＶモード（前進）時の共線図である。
【図３５】図３３の車両におけるＯ／ＤＨＶモード（前進）のロー入力時の共線図である。
【図３６】図３３の車両におけるＯ／ＤＨＶモード（前進）のハイ入力時の共線図である。
【図３７】図３３の車両において、各走行モードにおける各係合装置の各作動状態を示す図表である。
【発明を実施するための形態】
【００２３】
以下、本発明の実施例を図面を参照して詳細に説明する。
【実施例】
【００２４】
図１は、本発明が適用される車両１０の走行に関わる各部の概略構成を説明する図であると共に、その各部を制御する為の制御系統の要部を説明する図である。図１において、車両１０は、走行用の動力源となり得る、エンジン１２、第１回転機ＭＧ１、及び第２回転機ＭＧ２と、動力伝達装置１４と、駆動輪１６とを備えるハイブリッド車両である。尚、本明細書では、「エンジン」との表現は「機関」と同意である。
【００２５】
エンジン１２は、例えばガソリンエンジンやディーゼルエンジン等、所定の燃料を燃焼させて動力を出力する公知の内燃機関である。このエンジン１２は、後述する電子制御装置９０によってスロットル開度或いは吸入空気量、燃料供給量、点火時期等の運転状態が制御されることにより、エンジン１２のトルク（以下、エンジントルクＴeともいう）が制御される。
【００２６】
第１回転機ＭＧ１及び第２回転機ＭＧ２は、駆動トルクを発生させる電動機（モータ）としての機能及び発電機（ジェネレータ）としての機能を有する所謂モータジェネレータである。第１回転機ＭＧ１及び第２回転機ＭＧ２は、インバータ部や平滑コンデンサなどを有する車両１０に備えられた電力制御ユニット５０を介して、各々電力を授受する蓄電装置としての車両１０に備えられたバッテリユニット５２に接続されており、後述する電子制御装置９０によって電力制御ユニット５０が制御されることにより、第１回転機ＭＧ１及び第２回転機ＭＧ２の各々の出力トルク（力行トルク又は回生トルク）であるＭＧ１トルクＴg及びＭＧ２トルクＴmが制御される。
【００２７】
動力伝達装置１４は、エンジン１２と駆動輪１６との間の動力伝達経路に備えられている。動力伝達装置１４は、車体に取り付けられる非回転部材であるケース１８内に、第１回転機ＭＧ１、第２回転機ＭＧ２、第１動力伝達部２０、第２動力伝達部２２等を備えている。又、動力伝達装置１４は、第１動力伝達部２０の出力回転部材である出力軸２４に連結されたプロペラシャフト２６、プロペラシャフト２６に連結されたドライブピニオン２８、デフリングギヤ３０を介してドライブピニオン２８と噛み合うディファレンシャルギヤ３２、ディファレンシャルギヤ３２に連結されたドライブシャフト３４等を備えている。
【００２８】
第１動力伝達部２０は、エンジン１２のクランク軸に連結された、第１動力伝達部２０の入力回転部材である入力軸３６と同軸心に配置されており、第１差動機構３８、第２差動機構４０、第１回転機ＭＧ１、クラッチＣＬ１、ブレーキＢＲ１、及びクラッチＣＬｃ等を備えている。
【００２９】
第１差動機構３８は、第１サンギヤＳ１、互いに噛み合う複数対の第１ピニオンギヤＰ１ａ，Ｐ１ｂ、第１ピニオンギヤＰ１ａ，Ｐ１ｂを自転及び公転可能に支持する第１キャリアＣ１、第１ピニオンギヤＰ１ａ，Ｐ１ｂを介して第１サンギヤＳ１と噛み合う第１リングギヤＲ１を有する公知のダブルピニオン型の遊星歯車機構であり、差動作用を生じる差動機構として機能する。第１差動機構３８は、例えば歯車比ρ１（歯車比ρについては後述）を適切にすることを考慮してダブルピニオン型の遊星歯車機構を採用している。又、第２差動機構４０は、第２サンギヤＳ２、第２ピニオンギヤＰ２、第２ピニオンギヤＰ２を自転及び公転可能に支持する第２キャリアＣ２、第２ピニオンギヤＰ２を介して第２サンギヤＳ２と噛み合う第２リングギヤＲ２を有する公知のシングルピニオン型の遊星歯車機構であり、差動作用を生じる差動機構として機能する。
【００３０】
第１差動機構３８において、第１キャリアＣ１は、入力軸３６に一体的に連結され、その入力軸３６を介してエンジン１２が動力伝達可能に連結された第１回転要素ＲＥ１であり、第１差動機構３８の入力回転部材として機能する。第１リングギヤＲ１は、ブレーキＢＲ１を介してケース１８に選択的に連結される第２回転要素ＲＥ２である。第１サンギヤＳ１は、第２差動機構４０の入力回転部材（すなわち第２差動機構４０の第２リングギヤＲ２）に連結された第３回転要素ＲＥ３であり、第１差動機構３８の出力回転部材として機能する。
【００３１】
第２差動機構４０において、第２サンギヤＳ２は、第１回転機ＭＧ１のロータ軸４２に一体的に連結されており、第１回転機ＭＧ１が動力伝達可能に連結された反力要素としての第４回転要素ＲＥ４である。第２キャリアＣ２は、出力軸２４に連結されており（すなわち出力軸２４と一体回転するように設けられており）、駆動輪１６に連結された出力要素としての第５回転要素ＲＥ５であり、第２差動機構４０の出力回転部材として機能する。第２リングギヤＲ２は、第１差動機構３８の出力回転部材（すなわち第１差動機構３８の第１サンギヤＳ１）に連結された入力要素としての第６回転要素ＲＥ６であり、第２差動機構４０の入力回転部材として機能する。
【００３２】
第１キャリアＣ１と第１リングギヤＲ１とは、クラッチＣＬ１を介して選択的に連結される。又、第１リングギヤＲ１と第２キャリアＣ２とは、クラッチＣＬｃを介して選択的に連結される。よって、クラッチＣＬ１は、第１回転要素ＲＥ１と第２回転要素ＲＥ２とを選択的に連結する第１係合装置である。又、クラッチＣＬｃは、第２回転要素ＲＥ２と第５回転要素ＲＥ５とを選択的に連結する第２係合装置である。又、ブレーキＢＲ１は、第２回転要素ＲＥ２をケース１８に選択的に連結する第３係合装置である。クラッチＣＬ１、ブレーキＢＲ１、及びクラッチＣＬｃは、好適には何れも湿式の摩擦係合装置であり、油圧アクチュエータによって係合制御される多板型の油圧式摩擦係合装置である。
【００３３】
図２は、各係合装置（クラッチＣＬ１、ブレーキＢＲ１、クラッチＣＬｃ）の作動状態（係合や解放などの状態）を制御する、車両１０に備えられた油圧制御回路６０の要部の一例を示す図である。図２において、油圧制御回路６０は、プライマリレギュレータバルブ６２、及びリニアソレノイドバルブＳＬ１，ＳＬ２，ＳＬ３等を備えている。プライマリレギュレータバルブ６２は、車両１０に備えられた機械式のオイルポンプ６４（ＭＯＰ６４ともいう）が発生する油圧を元圧として、又は、車両１０に備えられた電動式のオイルポンプ６６（ＥＯＰ６６ともいう）が発生する油圧を元圧として、ライン油圧ＰＬを調圧する。ＭＯＰ６４は、例えばエンジン１２の回転に伴って回転する、動力伝達装置１４の何れかの回転部材（回転要素も同意）に連結されており、エンジン１２によって回転駆動されることで油圧を供給する。ＥＯＰ６６は、例えばエンジン１２の回転停止時（例えばエンジン１２の運転を停止したモータ走行時）に、後述する電子制御装置９０によって制御される不図示の専用のモータによって回転駆動されることで油圧を供給する。リニアソレノイドバルブＳＬ１は、ライン油圧ＰＬを元圧として、クラッチＣＬ１に供給する係合油圧（ＣＬ１油圧Ｐcl1ともいう）を調圧する。リニアソレノイドバルブＳＬ２は、ライン油圧ＰＬを元圧として、ブレーキＢＲ１に供給する係合油圧（ＢＲ１油圧Ｐbr1ともいう）を調圧する。リニアソレノイドバルブＳＬ３は、ライン油圧ＰＬを元圧として、クラッチＣＬｃに供給する係合油圧（ＣＬｃ油圧Ｐclcともいう）を調圧する。リニアソレノイドバルブＳＬ１，ＳＬ２，ＳＬ３は、基本的には何れも同じ構成であり、電子制御装置９０によりそれぞれ独立に励磁、非励磁や電流制御が為され、各油圧Ｐcl1，Ｐbr1，Ｐclcを独立に調圧する。各係合装置（クラッチＣＬ１、ブレーキＢＲ１、クラッチＣＬｃ）は、油圧制御回路６０から各々供給される各油圧Ｐcl1，Ｐbr1，Ｐclcに応じて作動状態が切り替えられる。
【００３４】
図１に戻り、第１差動機構３８は、クラッチＣＬ１及びブレーキＢＲ１の各作動状態を切り替えることにより、直結状態、エンジン１２の逆回転変速状態、ニュートラル状態（中立状態）、及び内部ロック状態の４つの状態を形成することが可能である。具体的には、第１差動機構３８は、クラッチＣＬ１の係合状態では、第１差動機構３８の各回転要素が一体回転される直結状態とされる。又、第１差動機構３８は、ブレーキＢＲ１の係合状態では、第１リングギヤＲ１の回転がゼロ［rpm］とされ、エンジン回転速度Ｎeの正回転に対して第１サンギヤＳ１（第１差動機構３８の出力回転部材）が負回転となるエンジン１２の逆回転変速状態とされる。又、第１差動機構３８は、クラッチＣＬ１の解放状態且つブレーキＢＲ１の解放状態では、第１差動機構３８の差動が許容されるニュートラル状態とされる。又、第１差動機構３８は、クラッチＣＬ１の係合状態且つブレーキＢＲ１の係合状態では、第１差動機構３８の各回転要素が回転停止となる内部ロック状態とされる。
【００３５】
第２差動機構４０は、差動が許容される状態では、第２リングギヤＲ２に入力されるエンジン１２の動力を第１回転機ＭＧ１及び第２キャリアＣ２へ分割（分配も同意）する動力分割機構として機能することが可能である。よって、車両１０では、第２リングギヤＲ２に入力されるエンジントルクＴeの反力を第１回転機ＭＧ１にて取ることにより、第２キャリアＣ２へ機械的に伝達される直達トルク（エンジン直達トルクともいう）と、第１回転機ＭＧ１に分割された動力による第１回転機ＭＧ１の発電電力で駆動される第２回転機ＭＧ２によるＭＧ２トルクＴmとでエンジン走行することが可能である。これにより、第２差動機構４０は、後述する電子制御装置９０によって電力制御ユニット５０が制御されて第１回転機ＭＧ１の運転状態が制御されることによりギヤ比（変速比）を制御する公知の電気式差動部（電気式無段変速機）として機能する。つまり、第２差動機構４０は、第１回転機ＭＧ１の運転状態が制御されることにより差動状態が制御される電気式変速機構である。
【００３６】
第１動力伝達部２０では、第２差動機構４０における動力分割比とは異なる動力分割比にて作動する電気式無段変速機を構成することが可能である。すなわち、第１動力伝達部２０では、第１サンギヤＳ１（第３回転要素ＲＥ３）と第２リングギヤＲ２（第６回転要素ＲＥ６）とが連結されていることに加え、クラッチＣＬｃを係合状態とすることによって第１リングギヤＲ１（第２回転要素ＲＥ２）と第２キャリアＣ２（第５回転要素ＲＥ５）とが連結されることで、第１差動機構３８と第２差動機構４０とで１つの差動機構を構成し、第１差動機構３８と第２差動機構４０との全体を、第２差動機構４０単独での動力分割比とは異なる動力分割比にて作動する電気式無段変速機として機能させることが可能となる。
【００３７】
第１動力伝達部２０では、上述した４つの状態が形成される第１差動機構３８と、第２差動機構４０とが連結されており、車両１０は、クラッチＣＬｃの作動状態の切替えと合わせて、後述する複数の走行モードを実現することが可能となる。
【００３８】
このように構成された第１動力伝達部２０においては、エンジン１２の動力や第１回転機ＭＧ１の動力は出力軸２４へ伝達される。従って、エンジン１２及び第１回転機ＭＧ１は、第１動力伝達部２０を介して駆動輪１６に動力伝達可能に連結される。
【００３９】
第２動力伝達部２２は、入力軸３６（又は出力軸２４）と同軸心に配置されており、第２回転機ＭＧ２、及び出力軸２４に連結されたリダクション機構４４を備えている。リダクション機構４４は、第３サンギヤＳ３、第３ピニオンギヤＰ３、第３ピニオンギヤＰ３を自転及び公転可能に支持する第３キャリアＣ３、第３ピニオンギヤＰ３を介して第３サンギヤＳ３と噛み合う第３リングギヤＲ３を有する公知のシングルピニオン型の遊星歯車機構である。第３サンギヤＳ３は、第２回転機ＭＧ２のロータ軸４６に連結された入力要素である。第３リングギヤＲ３は、ケース１８に連結された反力要素である。第３キャリアＣ３は、出力軸２４に連結された出力要素である。このように構成されたリダクション機構４４は、ＭＧ２回転速度Ｎmを減速して出力軸２４に伝達する。これにより、第２動力伝達部２２においては、第２回転機ＭＧ２の動力は第１動力伝達部２０を介すことなく出力軸２４へ伝達される。従って、第２回転機ＭＧ２は、第１動力伝達部２０を介さずに駆動輪１６に動力伝達可能に連結される。つまり、第２回転機ＭＧ２は、第１動力伝達部２０を介さずに動力伝達装置１４の出力回転部材であるドライブシャフト３４に動力伝達可能に連結された回転機である。尚、動力伝達装置１４の出力回転部材は、駆動輪１６と連結される出力回転部材であり、ドライブシャフト３４の他に、出力軸２４やプロペラシャフト２６なども同意である。
【００４０】
このように構成された動力伝達装置１４は、ＦＲ（フロントエンジン・リヤドライブ）方式の車両に好適に用いられる。又、動力伝達装置１４では、エンジン１２の動力や第１回転機ＭＧ１の動力や第２回転機ＭＧ２の動力は、出力軸２４へ伝達され、その出力軸２４から、ディファレンシャルギヤ３２、ドライブシャフト３４等を順次介して駆動輪１６へ伝達される。
【００４１】
車両１０は、エンジン１２、動力伝達装置１４などの制御に関連する車両１０の制御装置を含むコントローラとしての電子制御装置９０を備えている。電子制御装置９０は、例えばＣＰＵ、ＲＡＭ、ＲＯＭ、入出力インターフェース等を備えた所謂マイクロコンピュータを含んで構成されており、ＣＰＵはＲＡＭの一時記憶機能を利用しつつ予めＲＯＭに記憶されたプログラムに従って信号処理を行うことにより車両１０の各種制御を実行する。例えば、電子制御装置９０は、エンジン１２、第１回転機ＭＧ１、及び第２回転機ＭＧ２の各出力制御、後述する走行モードの切替制御等を実行するようになっており、必要に応じてエンジン制御用、回転機制御用、油圧制御用等に分けて構成される。
【００４２】
電子制御装置９０には、車両１０に備えられた各種センサ等（例えばエンジン回転速度センサ７０、出力回転速度センサ７２、レゾルバ等のＭＧ１回転速度センサ７４、レゾルバ等のＭＧ２回転速度センサ７６、アクセル開度センサ７８、シフトポジションセンサ８０、バッテリセンサ８２など）による検出値に基づく各種信号等（例えばエンジン回転速度Ｎe、車速Ｖに対応する出力軸２４の回転速度である出力回転速度Ｎo、ＭＧ１回転速度Ｎg、ＭＧ２回転速度Ｎm、アクセル開度θacc、「Ｐ」，「Ｒ」，「Ｎ」，「Ｄ」等のシフトレバーの操作位置（シフトポジション）POSsh、バッテリユニット５２のバッテリ温度ＴＨbatやバッテリ充放電電流Ｉbatやバッテリ電圧Ｖbatなど）が供給される。又、電子制御装置９０からは、車両１０に備えられた各装置（例えばスロットルアクチュエータや燃料噴射装置や点火装置等のエンジン制御装置５４、電力制御ユニット５０、油圧制御回路６０、ＥＯＰ６６など）に各種指令信号（例えばエンジン１２を制御する為のエンジン制御指令信号Ｓe、第１回転機ＭＧ１及び第２回転機ＭＧ２を各々制御する為の回転機制御指令信号Ｓmg、各係合装置（クラッチＣＬ１、ブレーキＢＲ１、クラッチＣＬｃ）の作動状態を制御する為の油圧制御指令信号Ｓp、ＥＯＰ６６を駆動する為のポンプ駆動制御指令信号Ｓopなど）が、それぞれ出力される。尚、電子制御装置９０は、例えばバッテリ充放電電流Ｉbat及びバッテリ電圧Ｖbatなどに基づいてバッテリユニット５２の充電状態を示す値としてのバッテリユニット５２の充電容量ＳＯＣ（バッテリ容量ＳＯＣともいう）を算出する。
【００４３】
電子制御装置９０は、車両１０における各種制御の為の制御機能を実現する為に、ハイブリッド制御手段すなわちハイブリッド制御部９２を備えている。
【００４４】
ハイブリッド制御部９２は、電子スロットル弁を開閉制御し、燃料噴射量や噴射時期を制御し、点火時期を制御するエンジン制御指令信号Ｓeを出力して、エンジントルクＴeの目標トルクが得られるようにエンジン１２の出力制御を実行する。又、ハイブリッド制御部９２は、第１回転機ＭＧ１や第２回転機ＭＧ２の作動を制御する回転機制御指令信号Ｓmgを電力制御ユニット５０へ出力して、ＭＧ１トルクＴgやＭＧ２トルクＴmの目標トルクが得られるように第１回転機ＭＧ１や第２回転機ＭＧ２の出力制御を実行する。
【００４５】
ハイブリッド制御部９２は、アクセル開度θacc及び車速Ｖに基づいて要求駆動トルクを算出し、充電要求値（充電要求パワー）等を考慮して低燃費で排ガス量の少ない運転となるように、エンジン１２、第１回転機ＭＧ１、及び第２回転機ＭＧ２の少なくとも１つから要求駆動トルクを発生させる。
【００４６】
ハイブリッド制御部９２は、走行モードを形成すると共に走行モードの切替えを実行する、走行モード制御手段すなわち走行モード制御部９４を機能的に備えている。走行モード制御部９４は、走行モードとして、モータ走行（ＥＶ走行）モードと、ハイブリッド走行（ＨＶ走行）モード（エンジン走行モードともいう）とを走行状態に応じて選択的に成立させる。走行モード制御部９４は、その成立させた走行モードを形成する。ＥＶ走行モードは、エンジン１２の運転を停止した状態で、第１回転機ＭＧ１及び第２回転機ＭＧ２のうちの少なくとも一方の回転機を走行用の動力源として走行するモータ走行を可能とする制御様式である。ＨＶ走行モードは、少なくともエンジン１２を走行用の動力源として走行する（すなわちエンジン１２の動力を駆動輪１６へ伝達して走行する）ＨＶ走行（エンジン走行）を可能とする制御様式である。尚、エンジン１２の動力を第１回転機ＭＧ１の発電によって電力に変換し、専らその電力をバッテリユニット５２に充電するモードのように、車両１０の走行を前提としないモードであっても、エンジン１２を運転した状態とするので、ＨＶ走行モードに含まれる。
【００４７】
走行モード制御部９４は、成立させた走行モードに基づいてクラッチＣＬ１、ブレーキＢＲ１、及びクラッチＣＬｃのそれぞれの作動状態を制御してその走行モードを形成する。走行モード制御部９４は、成立させた走行モードにて走行する為の動力伝達が可能となるように、クラッチＣＬ１、ブレーキＢＲ１、及びクラッチＣＬｃを各々係合及び／又は解放させる油圧制御指令信号Ｓpを油圧制御回路６０へ出力する。
【００４８】
ここで、車両１０にて実行可能な走行モードについて図３、及び図４−図１６を用いて説明する。図３は、各走行モードにおけるクラッチＣＬ１、ブレーキＢＲ１、及びクラッチＣＬｃの各作動状態を示す図表である。図３の図表中の○印は係合装置（クラッチＣＬ１、ブレーキＢＲ１、クラッチＣＬｃ）の係合を示し、空欄は解放を示し、△印は運転停止状態のエンジン１２を連れ回し状態とするエンジンブレーキ（エンブレともいう）の併用時に、状況に応じて何れか一方を係合すること、又は、両方を係合する場合があることを示している。又、「Ｇ」は回転機（ＭＧ１，ＭＧ２）を主にジェネレータとして機能させることを示し、「Ｍ」は回転機（ＭＧ１，ＭＧ２）を駆動時には主にモータとして機能させ、回生時には主にジェネレータとして機能させることを示している。図３に示すように、車両１０は、走行モードとして、ＥＶ走行モード及びＨＶ走行モードを選択的に実現することができる。ＥＶ走行モードは、第２回転機ＭＧ２を単独の動力源とするモータ走行が可能な制御様式である単独駆動ＥＶモードと、第１回転機及び第２回転機ＭＧ２を動力源とするモータ走行が可能な制御様式である両駆動ＥＶモードとの２つのモードを有している。ＨＶ走行モードは、オーバードライブ（Ｏ／Ｄ）インプットスプリットモード（以下、Ｏ／ＤＨＶモードという）と、アンダードライブ（Ｕ／Ｄ）インプットスプリットモード（以下、Ｕ／ＤＨＶモードという）と、固定段モードとの３つのモードを有している。
【００４９】
図４−図１６は、第１差動機構３８及び第２差動機構４０の各々における各回転要素ＲＥ１−ＲＥ６の回転速度を相対的に表すことができる共線図である。この共線図において、各回転要素の回転速度を表す縦線Ｙ１−Ｙ４は紙面向かって左から順に、縦線Ｙ１は第１回転機ＭＧ１が連結された第４回転要素ＲＥ４である第２サンギヤＳ２の回転速度を、縦線Ｙ２はエンジン１２（図中の「ＥＮＧ」参照）が連結された第１回転要素ＲＥ１である第１キャリアＣ１の回転速度を、縦線Ｙ３はブレーキＢＲ１を介してケース１８に選択的に連結される第２回転要素ＲＥ２である第１リングギヤＲ１の回転速度、及び出力軸２４（図中の「ＯＵＴ」参照）に連結された第５回転要素ＲＥ５である第２キャリアＣ２の回転速度を、縦線Ｙ４は相互に連結された、第３回転要素ＲＥ３である第１サンギヤＳ１及び第６回転要素ＲＥ６である第２リングギヤＲ２の回転速度をそれぞれ示している。出力軸２４にはリダクション機構４４を介して第２回転機ＭＧ２が連結されている。又、白四角印（□）における矢印はＭＧ１トルクＴgを、白丸印（○）における矢印はエンジントルクＴeを、黒丸印（●）における矢印はＭＧ２トルクＴmをそれぞれ示している。又、第１キャリアＣ１と第１リングギヤＲ１とを選択的に連結するクラッチＣＬ１が白抜きで表されたものはクラッチＣＬ１の解放状態を、クラッチＣＬ１がハッチング（斜線）で表されたものはクラッチＣＬ１の係合状態をそれぞれ示している。又、第１リングギヤＲ１をケース１８に選択的に連結するブレーキＢＲ１における白菱形印（◇）はブレーキＢＲ１の解放状態を、黒菱形印（◆）はブレーキＢＲ１の係合状態をそれぞれ示している。又、第１リングギヤＲ１と第２キャリアＣ２とを選択的に連結するクラッチＣＬｃにおける白菱形印（◇）はクラッチＣＬｃの解放状態を、黒菱形印（◆）はクラッチＣＬｃの係合状態をそれぞれ示している。又、第１差動機構３８に関する回転速度を相対的に表す直線は破線で示され、第２差動機構４０に関する回転速度を相対的に表す直線は実線で示されている。尚、黒丸印（●）における矢印は、第１回転機ＭＧ１に分割されたエンジン１２の動力による第１回転機ＭＧ１の発電電力、及び／又は、バッテリユニット５２から供給される電力で駆動される第２回転機ＭＧ２によるＭＧ２トルクＴmであり、エンジン直達トルク分は含まれていない。又、クラッチＣＬｃにおける黒菱形印（◆）は、黒丸印（●）と重なっている為、図中では表されていない。又、縦線Ｙ１、Ｙ２、Ｙ３、Ｙ４の相互の間隔は、差動機構３８，４０の各歯車比ρ１，ρ２に応じて定められている。共線図の縦軸間の関係においてサンギヤとキャリアとの間が「１」に対応する間隔とされるとキャリアとリングギヤとの間が遊星歯車機構の歯車比ρ（＝サンギヤの歯数／リングギヤの歯数）に対応する間隔とされる。
【００５０】
図４は、単独駆動ＥＶモード時の共線図である。単独駆動ＥＶモードは、図３の「通常」に示すように、クラッチＣＬ１、ブレーキＢＲ１、及びクラッチＣＬｃを共に解放した状態で実現される。単独駆動ＥＶモードでは、クラッチＣＬ１及びブレーキＢＲ１が解放されており、第１差動機構３８の差動が許容され、第１差動機構３８はニュートラル状態とされる。ハイブリッド制御部９２は、エンジン１２の運転を停止させると共に、第２回転機ＭＧ２から走行用のＭＧ２トルクＴmを出力させる。図４は、第２回転機ＭＧ２が正回転（すなわち車両１０の前進時における第２キャリアＣ２の回転方向）にて正トルクを出力している前進時の場合である。後進時は、前進時に対して第２回転機ＭＧ２を逆回転させる。車両走行中には、第２回転機ＭＧ２の回転（ここでは駆動輪１６の回転も同意）に連動して出力軸２４に連結された第２キャリアＣ２が回転させられる。単独駆動ＥＶモードでは、更に、クラッチＣＬｃが解放されているので、エンジン１２及び第１回転機ＭＧ１は各々連れ回されず、エンジン回転速度Ｎe及びＭＧ１回転速度Ｎgをゼロとすることができる。これにより、エンジン１２及び第１回転機ＭＧ１における各々の引き摺り損失を低減して電費を向上する（すなわち電力消費を抑制する）ことができる。ハイブリッド制御部９２は、フィードバック制御によりＭＧ１回転速度Ｎgをゼロに維持する。或いは、ハイブリッド制御部９２は、第１回転機ＭＧ１の回転が固定されるように第１回転機ＭＧ１に電流を流す制御（ｄ軸ロック制御）を実行して、ＭＧ１回転速度Ｎgをゼロに維持する。或いは、ＭＧ１トルクＴgをゼロとしても第１回転機ＭＧ１のコギングトルクによりＭＧ１回転速度Ｎgをゼロに維持できるときはＭＧ１トルクＴgを加える必要はない。単独駆動ＥＶモードは、クラッチＣＬ１及びクラッチＣＬｃを解放した状態で第２回転機ＭＧ２のみを動力源としてモータ走行することが可能な走行モードである。尚、ＭＧ１回転速度Ｎgをゼロに維持する制御を行っても、第１動力伝達部２０はＭＧ１トルクＴgの反力を取れない中立状態であるので、駆動トルクに影響を与えない。又は、単独駆動ＥＶモードでは、第１回転機ＭＧ１を無負荷として空転させても良い。
【００５１】
図５は、両駆動ＥＶモード時の共線図である。両駆動ＥＶモードは、図３の「両駆動」に示すように、クラッチＣＬ１及びブレーキＢＲ１を係合した状態、且つクラッチＣＬｃを解放した状態で実現される。両駆動ＥＶモードでは、クラッチＣＬ１及びブレーキＢＲ１が係合されており、第１差動機構３８の差動が規制され、第１リングギヤＲ１の回転が停止させられる。その為、第１差動機構３８は何れの回転要素も回転が停止させられ、第１差動機構３８は内部ロック状態とされる。これによって、エンジン１２はゼロ回転で停止状態とされ、又、第１サンギヤＳ１に連結された第２リングギヤＲ２もゼロ回転で固定される。第２リングギヤＲ２が回転不能に固定されると、第２リングギヤＲ２にてＭＧ１トルクＴgの反力トルクが取れる為、ＭＧ１トルクＴgに基づくトルクを第２キャリアＣ２から機械的に出力させて駆動輪１６へ伝達することができる。ハイブリッド制御部９２は、エンジン１２の運転を停止させると共に、第１回転機ＭＧ１及び第２回転機ＭＧ２から各々走行用のＭＧ１トルクＴg及びＭＧ２トルクＴmを出力させる。図５は、第１回転機ＭＧ１及び第２回転機ＭＧ２が共に正回転にて正トルクを出力している前進時の場合である。後進時は、前進時に対して第１回転機ＭＧ１及び第２回転機ＭＧ２を逆回転させる。
【００５２】
図４，図５を用いた説明で示したように、単独駆動ＥＶモードは第２回転機ＭＧ２のみにて車両１０を駆動し、両駆動ＥＶモードは第１回転機ＭＧ１及び第２回転機ＭＧ２にて車両１０を駆動することが可能である。従って、モータ走行する場合、低負荷時は、単独駆動ＥＶモードが成立させられて第２回転機ＭＧ２による単独走行とされ、高負荷時は、両駆動ＥＶモードが成立させられて第１回転機ＭＧ１及び第２回転機ＭＧ２による両駆動とされる。尚、エンジン走行を含め、車両減速中の回生は、主に第２回転機ＭＧ２にて実行される。
【００５３】
単独駆動ＥＶモードでの走行中に第２回転機ＭＧ２にて回生制御を行う場合、運転が停止されたエンジン１２は連れ回されずゼロ回転で停止状態とされるので、回生量を大きく取ることができる。一方で、単独駆動ＥＶモードでの走行時にバッテリユニット５２が満充電状態であると、回生エネルギーが取れない為、回生ブレーキにて制動トルクを得ることができない。単独駆動ＥＶモードでの走行時に、バッテリユニット５２が満充電状態となり回生エネルギーが取れない場合はエンジンブレーキにて制動トルクを得たり、又は、バッテリユニット５２が満充電に近い状態ではエンジンブレーキを併用することが考えられる。又、別の観点では、単独駆動ＥＶモードでの走行時にバッテリ容量ＳＯＣが低下して第２回転機ＭＧ２へ供給する電力を確保し難くなると、第２回転機ＭＧ２を駆動することができない。単独駆動ＥＶモードでの走行時に、バッテリ容量ＳＯＣが低下した場合はエンジン走行へ切り替えることが考えられる。以上のことから、ＥＶ走行モードでは、エンジンブレーキを速やかに作用させる為の又はエンジン走行へ速やかに切り替える為の準備をしておくスタンバイモード、及びエンジンブレーキを併用するエンブレ併用モードを有している。
【００５４】
図６、図７は、各々、ＥＶ走行モードにおけるスタンバイモード時の共線図である。このスタンバイモードは、図３の「スタンバイモード」に示すように、クラッチＣＬ１又はクラッチＣＬｃを係合した状態で実現される。クラッチＣＬ１又はクラッチＣＬｃが係合されるとエンジン１２は連れ回し状態とされ得るが、このスタンバイモードでは第１回転機ＭＧ１が無負荷で空転させられているので、運転停止中のエンジン１２はゼロ回転で停止状態とされる。従って、このスタンバイモードでは、エンジンブレーキを作用させずに、第２回転機ＭＧ２にてモータ走行又は回生制御を行うことができる。スタンバイモードの状態から、第１回転機ＭＧ１にてエンジン回転速度Ｎeを引き上げてエンジントルクＴe（負値）の反力を第１回転機ＭＧ１にて取ることで、エンジン回転速度Ｎeに応じたエンジンブレーキを作用させることができる。又、スタンバイモードの状態から、第１回転機ＭＧ１にてエンジン回転速度Ｎeを引き上げて点火することで、エンジン走行へ移行することができる。
【００５５】
図６に示すようなクラッチＣＬ１が係合されたスタンバイモードにおける各係合装置（クラッチＣＬ１、ブレーキＢＲ１、クラッチＣＬｃ）の作動状態は、後述するＨＶ走行モードのＵ／ＤＨＶモード時の前進走行における各係合装置の作動状態と同じ状態である。スタンバイモードではエンジン１２は運転されていないが、便宜上、クラッチＣＬ１が係合されたスタンバイモードを、Ｕ／Ｄインプットスプリットでのスタンバイモードと称する。
【００５６】
図７に示すようなクラッチＣＬｃが係合されたスタンバイモードにおける各係合装置の作動状態は、後述するＨＶ走行モードのＯ／ＤＨＶモード時の前進走行における各係合装置の作動状態と同じ状態である。便宜上、クラッチＣＬｃが係合されたスタンバイモードを、Ｏ／Ｄインプットスプリットでのスタンバイモードと称する。
【００５７】
図８、図９は、各々、ＥＶ走行モードにおけるエンブレ併用モード時の共線図である。このエンブレ併用モードは、図３の「エンブレ併用」に示すように、クラッチＣＬ１又はクラッチＣＬｃを係合した状態で実現される。クラッチＣＬ１又はクラッチＣＬｃが係合されるとエンジン１２は連れ回し状態とされるので、このエンブレ併用モードでは、第１回転機ＭＧ１にてエンジン回転速度Ｎeを制御しつつエンジントルクＴe（負値）の反力を取ることで、エンジン回転速度Ｎeに応じたエンジンブレーキを作用させることができる。従って、このエンブレ併用モードでは、第２回転機ＭＧ２による回生ブレーキに加えて又は替えて、エンジンブレーキを作用させることができる。尚、クラッチＣＬ１及びクラッチＣＬｃを係合することでもエンジンブレーキを作用させることができる。この場合は、第１回転機ＭＧ１にてエンジントルクＴe（負値）の反力を取る必要はない。クラッチＣＬ１及びクラッチＣＬｃが係合されたエンブレ併用モードにおける各係合装置（クラッチＣＬ１、ブレーキＢＲ１、クラッチＣＬｃ）の作動状態は、後述するＨＶ走行モードの直結固定段モード時における各係合装置の作動状態と同じ状態である。
【００５８】
図８に示すようなクラッチＣＬ１が係合されたエンブレ併用モードにおける各係合装置（クラッチＣＬ１、ブレーキＢＲ１、クラッチＣＬｃ）の作動状態は、後述するＨＶ走行モードのＵ／ＤＨＶモード時の前進走行における各係合装置の作動状態と同じ状態である。エンブレ併用モードではエンジン１２は運転されていないが、便宜上、クラッチＣＬ１が係合されたエンブレ併用モードを、Ｕ／Ｄインプットスプリットでのエンブレ併用モード（Ｕ／Ｄエンブレモードともいう）と称する。
【００５９】
図９に示すようなクラッチＣＬｃが係合されたエンブレ併用モードにおける各係合装置の作動状態は、後述するＨＶ走行モードのＯ／ＤＨＶモード時の前進走行における各係合装置の作動状態と同じ状態である。便宜上、クラッチＣＬｃが係合されたエンブレ併用モードを、Ｏ／Ｄインプットスプリットでのエンブレ併用モード（Ｏ／Ｄエンブレモードともいう）と称する。
【００６０】
このように、車両１０は、エンブレ併用モード（エンブレモードともいう）として、クラッチＣＬ１の係合によってエンジン１２による制動トルク（つまりエンジンブレーキトルク）を付与して走行すること（エンジンブレーキ走行ともいう）が可能な第１走行モード（つまりＵ／Ｄエンブレモード）と、クラッチＣＬｃの係合によってエンジンブレーキ走行が可能な第２走行モード（つまりＯ／Ｄエンブレモード）とが選択的に成立させられる。尚、第１走行モードや第２走行モードには、後述するＨＶ走行モードにおいてエンジンブレーキを作用させて走行する場合も含めても良い。
【００６１】
図１０は、ＨＶ走行モードのＵ／ＤＨＶモード時の前進走行での共線図である。Ｕ／ＤＨＶモードの前進走行（以下、Ｕ／ＤＨＶモード（前進）という）は、図３の「Ｕ／Ｄインプットスプリット」の「前進」に示すように、クラッチＣＬ１を係合した状態、且つブレーキＢＲ１及びクラッチＣＬｃを解放した状態で実現される。Ｕ／ＤＨＶモード（前進）では、クラッチＣＬ１が係合され且つブレーキＢＲ１が解放されており、第１差動機構３８は直結状態とされるので、第１キャリアＣ１に入力されるエンジン１２の動力は、第１サンギヤＳ１に連結された第２リングギヤＲ２に直接的に伝達される。加えて、Ｕ／ＤＨＶモード（前進）では、クラッチＣＬｃが解放されており、第２差動機構４０単独にて電気式無段変速機が構成される。これによって、第１動力伝達部２０では、第２リングギヤＲ２に入力されるエンジン１２の動力を第２サンギヤＳ２と第２キャリアＣ２とに分割することができる。すなわち、第１動力伝達部２０では、第２リングギヤＲ２に入力されるエンジントルクＴeの反力を第１回転機ＭＧ１にて取ることにより、エンジン直達トルクが第２キャリアＣ２へ機械的に伝達されると共に、第１回転機ＭＧ１に分割されたエンジン１２の動力による第１回転機ＭＧ１の発電電力が所定の電気経路を介して第２回転機ＭＧ２に伝達される。ハイブリッド制御部９２は、エンジン１２を運転（作動）させると共に、エンジントルクＴeに対する反力トルクとなるＭＧ１トルクＴgを第１回転機ＭＧ１の発電により出力させ、第１回転機ＭＧ１の発電電力により第２回転機ＭＧ２からＭＧ２トルクＴmを出力させる。ハイブリッド制御部９２は、第１回転機ＭＧ１の発電電力にバッテリユニット５２から供給される電力を加えて第２回転機ＭＧ２を駆動することもできる。図１０は、第２回転機ＭＧ２が正回転にて正トルクを出力して前進走行している場合である。
【００６２】
図１１は、ＨＶ走行モードのＯ／ＤＨＶモード時の前進走行での共線図である。Ｏ／ＤＨＶモードの前進走行（以下、Ｏ／ＤＨＶモード（前進）という）は、図３の「Ｏ／Ｄインプットスプリット」の「前進」に示すように、クラッチＣＬ１及びブレーキＢＲ１を解放した状態、且つクラッチＣＬｃを係合した状態で実現される。Ｏ／ＤＨＶモード（前進）では、クラッチＣＬｃが係合されており、第１差動機構３８と第２差動機構４０とで１つの差動機構が構成される。加えて、Ｏ／ＤＨＶモード（前進）では、クラッチＣＬ１及びブレーキＢＲ１が解放されており、第１差動機構３８と第２差動機構４０との全体にて、第２差動機構４０単独での動力分割比とは異なる動力分割比にて作動する電気式無段変速機が構成される。これによって、第１動力伝達部２０では、第１キャリアＣ１に入力されるエンジン１２の動力を第２サンギヤＳ２と第２キャリアＣ２とに分割することができる。すなわち、第１動力伝達部２０では、第１キャリアＣ１に入力されるエンジントルクＴeの反力を第１回転機ＭＧ１にて取ることにより、エンジン直達トルクが第２キャリアＣ２へ機械的に伝達されると共に、第１回転機ＭＧ１に分割されたエンジン１２の動力による第１回転機ＭＧ１の発電電力が所定の電気経路を介して第２回転機ＭＧ２に伝達される。ハイブリッド制御部９２は、エンジン１２を運転（作動）させると共に、エンジントルクＴeに対する反力トルクとなるＭＧ１トルクＴgを第１回転機ＭＧ１の発電により出力させ、第１回転機ＭＧ１の発電電力により第２回転機ＭＧ２からＭＧ２トルクＴmを出力させる。図１１は、第２回転機ＭＧ２が正回転にて正トルクを出力している前進時の場合である。
【００６３】
図１２は、ＨＶ走行モードのＵ／ＤＨＶモード時の後進走行での共線図であり、電気式無段変速機としての機能を達成している構成に対して、エンジン１２の回転とトルクとが負値に逆転して入力される、エンジン逆転入力の場合である。Ｕ／ＤＨＶモードのエンジン逆転入力での後進走行（以下、Ｕ／ＤＨＶモード逆転入力（後進）という）は、図３の「Ｕ／Ｄインプットスプリット」の「後進」の「エンジン逆転入力」に示すように、ブレーキＢＲ１を係合した状態、且つクラッチＣＬ１及びクラッチＣＬｃを解放した状態で実現される。Ｕ／ＤＨＶモード逆転入力（後進）では、クラッチＣＬ１が解放され且つブレーキＢＲ１が係合されており、第１差動機構３８はエンジン１２の逆回転変速状態とされるので、第１キャリアＣ１に入力されるエンジン１２の動力は、第１サンギヤＳ１に連結された第２リングギヤＲ２に負回転及び負トルクにて伝達される。加えて、Ｕ／ＤＨＶモード逆転入力（後進）では、クラッチＣＬｃが解放されており、第２差動機構４０単独にて電気式無段変速機が構成される。これによって、第１動力伝達部２０では、第２リングギヤＲ２に逆転して入力されるエンジン１２の動力を第２サンギヤＳ２と第２キャリアＣ２とに分割することができる。ハイブリッド制御部９２は、エンジン１２を運転（作動）させると共に、エンジントルクＴeに対する反力トルクとなるＭＧ１トルクＴgを第１回転機ＭＧ１の力行により出力させ、バッテリユニット５２から供給される電力により第２回転機ＭＧ２からＭＧ２トルクＴmを出力させる。図１２は、第２回転機ＭＧ２が負回転にて負トルクを出力して後進走行している場合である。又、Ｕ／ＤＨＶモード逆転入力（後進）では、エンジン１２の動力が第２リングギヤＲ２に負回転及び負トルクにて伝達されるので、ＭＧ２トルクＴmと合わせて後進走行用の駆動トルクを出すことができる。尚、第１回転機ＭＧ１の力行に用いる電力を発電する為に第２回転機ＭＧ２が負回転にて正トルクを出力しても良く、この場合でも、負トルクとなるエンジン直達トルクの方がＭＧ２トルクＴmよりも絶対値が大きくなることから後進走行が可能である。
【００６４】
図１３は、ＨＶ走行モードのＵ／ＤＨＶモード時の後進走行での共線図であり、エンジン正転入力の場合である。Ｕ／ＤＨＶモードのエンジン正転入力での後進走行（以下、Ｕ／ＤＨＶモード正転入力（後進）という）は、図３の「Ｕ／Ｄインプットスプリット」の「後進」の「エンジン正転入力」に示すように、クラッチＣＬ１を係合した状態、且つブレーキＢＲ１及びクラッチＣＬｃを解放した状態で実現される。Ｕ／ＤＨＶモード正転入力（後進）では、クラッチＣＬ１が係合され且つブレーキＢＲ１が解放されており、第１差動機構３８は直結状態とされるので、第１キャリアＣ１に入力されるエンジン１２の動力は、第１サンギヤＳ１に連結された第２リングギヤＲ２に直接的に伝達される。加えて、Ｕ／ＤＨＶモード正転入力（後進）では、クラッチＣＬｃが解放されており、第２差動機構４０単独にて電気式無段変速機が構成される。これによって、第１動力伝達部２０では、第２リングギヤＲ２に入力されるエンジン１２の動力を第２サンギヤＳ２と第２キャリアＣ２とに分割することができる。ハイブリッド制御部９２は、エンジン１２を運転（作動）させると共に、エンジントルクＴeに対する反力トルクとなるＭＧ１トルクＴgを第１回転機ＭＧ１の発電により出力させ、第１回転機ＭＧ１の発電電力により第２回転機ＭＧ２からＭＧ２トルクＴmを出力させる。図１３は、第２回転機ＭＧ２が負回転にて負トルクを出力して後進走行している場合である。尚、エンジン直達トルクは正トルクとなるが、第１回転機ＭＧ１の発電電力にて駆動される（又は、第１回転機ＭＧ１の発電電力にバッテリユニット５２から供給される電力を加えて駆動される）第２回転機ＭＧ２の出力トルク（負値）はエンジン直達トルクよりも絶対値が大きくなることから後進走行が可能である。
【００６５】
図１４は、ＨＶ走行モードのＯ／ＤＨＶモード時の後進走行での共線図であり、エンジン正転入力の場合である。Ｏ／ＤＨＶモードのエンジン正転入力での後進走行（以下、Ｏ／ＤＨＶモード正転入力（後進）という）は、図３の「Ｏ／Ｄインプットスプリット」の「後進」の「エンジン正転入力」に示すように、クラッチＣＬ１及びブレーキＢＲ１を解放した状態、且つクラッチＣＬｃを係合した状態で実現される。Ｏ／ＤＨＶモード正転入力（後進）では、クラッチＣＬｃが係合されており、第１差動機構３８と第２差動機構４０とで１つの差動機構が構成される。加えて、Ｏ／ＤＨＶモード正転入力（後進）では、クラッチＣＬ１及びブレーキＢＲ１が解放されており、第１差動機構３８と第２差動機構４０との全体にて、第２差動機構４０単独での動力分割比とは異なる動力分割比にて作動する電気式無段変速機が構成される。これによって、第１動力伝達部２０では、第１キャリアＣ１に入力されるエンジン１２の動力を第２サンギヤＳ２と第２キャリアＣ２とに分割することができる。ハイブリッド制御部９２は、エンジン１２を運転（作動）させると共に、エンジントルクＴeに対する反力トルクとなるＭＧ１トルクＴgを第１回転機ＭＧ１の発電により出力させ、第１回転機ＭＧ１の発電電力により第２回転機ＭＧ２からＭＧ２トルクＴmを出力させる。図１４は、第２回転機ＭＧ２が負回転にて負トルクを出力して後進走行している場合である。尚、エンジン直達トルクは正トルクとなるが、Ｕ／ＤＨＶモード正転入力（後進）の場合と同様に、後進走行が可能である。
【００６６】
図１０−図１４を用いた説明で示したように、Ｕ／ＤＨＶモードとＯ／ＤＨＶモードとでは、電気式無段変速機としての機能を達成している構成に対して、エンジン１２の動力が入力される回転要素が異なっており、第１動力伝達部２０を電気式無段変速機として機能させるときの動力分割比が異なる。すなわち、Ｏ／ＤＨＶモードとＵ／ＤＨＶモードとで、エンジン１２に対する、回転機ＭＧ１，ＭＧ２の各出力トルクや各回転速度の比率が変えられる。クラッチＣＬｃは、エンジン走行中のエンジン１２に対する、回転機ＭＧ１，ＭＧ２の各出力トルクや各回転速度の比率を変更する為に、作動状態が切り替えられる。
【００６７】
ＭＧ１回転速度Ｎgがゼロとされてエンジン１２の動力が電気パス（第１回転機ＭＧ１や第２回転機ＭＧ２の電力授受に関わる電気経路である電気的な動力伝達経路）を介することなく全て機械的に第２キャリアＣ２へ伝達される状態となる所謂メカニカルポイントの状態のときに、エンジン１２の回転が減速されて第２キャリアＣ２から出力されるアンダードライブ状態となる場合がＵ／ＤＨＶモードであり、又、エンジン１２の回転が増速されて第２キャリアＣ２から出力されるオーバードライブ状態となる場合がＯ／ＤＨＶモードである。Ｕ／ＤＨＶモードでのエンジン直達トルクは、エンジントルクＴeに対して増大される。一方で、Ｏ／ＤＨＶモードでのエンジン直達トルクは、エンジントルクＴeに対して減少される。
【００６８】
Ｕ／ＤＨＶモード（前進）、Ｕ／ＤＨＶモード正転入力（後進）、及びＵ／Ｄインプットスプリットでのエンブレ併用モードは、クラッチＣＬ１及びクラッチＣＬｃのうちの何れか一方の係合装置であるクラッチＣＬ１を係合した状態（すなわちクラッチＣＬ１を係合且つクラッチＣＬｃを解放した状態）で、第１回転機ＭＧ１の運転状態が制御されることにより第２差動機構４０の差動状態が制御されるときには（つまり電気式無段変速機が構成されるときには）、エンジントルクＴeよりも増大されたトルクが第２キャリアＣ２に機械的に伝達される走行モードである。一方で、Ｏ／ＤＨＶモード（前進）、Ｏ／ＤＨＶモード正転入力（後進）、及びＯ／Ｄインプットスプリットでのエンブレ併用モードは、クラッチＣＬ１及びクラッチＣＬｃのうちの前記一方の係合装置とは別の係合装置であるクラッチＣＬｃを係合した状態（すなわちクラッチＣＬ１を解放且つクラッチＣＬｃを係合した状態）で、第１回転機ＭＧ１の運転状態が制御されることにより第２差動機構４０の差動状態が制御されるときには、エンジントルクＴeよりも減少されたトルクが第２キャリアＣ２に機械的に伝達される走行モードである。他方で、Ｕ／ＤＨＶモード逆転入力（後進）は、電気式無段変速機が構成されるときにエンジントルクＴeよりも増大されたトルクが第２キャリアＣ２に機械的に伝達される走行モードである。
【００６９】
図１５は、ＨＶ走行モードの固定段モード時の共線図であり、第１差動機構３８及び第２差動機構４０の各回転要素が一体回転させられる、直結の場合である。固定段モードの直結（以下、直結固定段モードという）は、図３の「固定段」の「前進」の「直結」に示すように、クラッチＣＬ１及びクラッチＣＬｃを係合した状態、且つブレーキＢＲ１を解放した状態で実現される。直結固定段モードでは、クラッチＣＬ１が係合され且つブレーキＢＲ１が解放されており、第１差動機構３８は直結状態とされる。加えて、直結固定段モードでは、クラッチＣＬｃが係合されており、第１差動機構３８及び第２差動機構４０の各回転要素が一体回転させられる。これによって、第１動力伝達部２０では、エンジン１２の動力を直接的に第２キャリアＣ２から出力することができる。ハイブリッド制御部９２は、エンジン１２から走行用のエンジントルクＴeを出力させる。この直結固定段モードでは、バッテリユニット５２からの電力にて第１回転機ＭＧ１を駆動して、第１回転機ＭＧ１の動力を直接的に第２キャリアＣ２から出力することもできる。又、この直結固定段モードでは、バッテリユニット５２からの電力にて第２回転機ＭＧ２を駆動して、第２回転機ＭＧ２の動力を駆動輪１６へ伝達することもできる。よって、ハイブリッド制御部９２は、エンジントルクＴeを出力させることに加えて、第１回転機ＭＧ１及び第２回転機ＭＧ２の少なくとも一方の回転機から走行用のトルクを出力させても良い。つまり、直結固定段モードでは、エンジン１２のみで車両１０を駆動しても良いし、又、第１回転機ＭＧ１及び／又は第２回転機ＭＧ２でトルクアシストしても良い。直結固定段モードは、クラッチＣＬ１及びクラッチＣＬｃを共に係合した状態とすることでエンジントルクＴeを第２キャリアＣ２から直接的に出力することができる（見方を換えれば、第１差動機構３８及び第２差動機構４０の各回転要素が一体回転させられる）走行モードである。
【００７０】
図１６は、ＨＶ走行モードの固定段モード時の共線図であり、第２キャリアＣ２が回転不能に固定される、出力軸固定の場合である。固定段モードの出力軸固定（以下、出力軸固定段モードという）は、図３の「固定段」の「前進」の「出力軸固定」に示すように、ブレーキＢＲ１及びクラッチＣＬｃを係合した状態、且つクラッチＣＬ１を解放した状態で実現される。出力軸固定段モードでは、クラッチＣＬｃが係合されており、第１差動機構３８と第２差動機構４０とで１つの差動機構が構成される。加えて、出力軸固定段モードでは、ブレーキＢＲ１が係合され且つクラッチＣＬ１が解放されており、第２キャリアＣ２が回転不能に固定される。これによって、第１動力伝達部２０では、第１キャリアＣ１に入力されるエンジン１２の動力の反力を第１回転機ＭＧ１にて取ることができる。従って、出力軸固定段モードでは、エンジン１２の動力による第１回転機ＭＧ１の発電電力をバッテリユニット５２に充電することができる。ハイブリッド制御部９２は、エンジン１２を運転（作動）させると共に、第１回転機ＭＧ１の発電によってエンジン１２の動力に対する反力を取り、第１回転機ＭＧ１の発電電力を電力制御ユニット５０を介してバッテリユニット５２に充電する。この出力軸固定段モードは、第２キャリアＣ２が回転不能に固定される為、車両１０の停止時にバッテリユニット５２を専ら充電するモードである。図１５，図１６を用いた説明で示したように、ＨＶ走行モードの直結固定段モードや出力軸固定段モードのときには、クラッチＣＬｃが係合される。
【００７１】
第１動力伝達部２０の減速比Ｉ（＝Ｎe／Ｎo）が比較的大きな領域では、エンジンパワーＰeに対するＭＧ１パワーＰgの出力比率（Ｐg／Ｐe）、及びエンジンパワーＰeに対するＭＧ２パワーＰmの出力比率（Ｐm／Ｐe）の各絶対値は、Ｕ／ＤＨＶモードの方がＯ／ＤＨＶモードよりも小さくされる。従って、減速比Ｉが比較的大きな領域では、Ｕ／ＤＨＶモードを成立させることで、ＭＧ１パワーＰgの増大及びＭＧ２パワーＰmの増大を各々抑制することができる。一方で、減速比Ｉが「１」よりも小さいような比較的小さな領域では、出力比率（Ｐm／Ｐe）が負値となり（すなわち出力比率（Ｐg／Ｐe）が正値となり）、出力比率（Ｐg／Ｐe）及び出力比率（Ｐm／Ｐe）の各絶対値は、Ｕ／ＤＨＶモードの方がＯ／ＤＨＶモードよりも大きくされる。出力比率（Ｐm／Ｐe）が負値となる状態（すなわち出力比率（Ｐg／Ｐe）が正値となる状態）は、第２回転機ＭＧ２が発電し、その発電電力が第１回転機ＭＧ１に供給される動力循環状態である。この動力循環状態となることは、できるだけ回避又は抑制されることが望ましい。その為、減速比Ｉが比較的小さな領域では、Ｏ／ＤＨＶモードを成立させることで、動力循環パワーを低減することができる。減速比Ｉに応じてＵ／ＤＨＶモードとＯ／ＤＨＶモードとを切り替えることで、より低出力（低パワー）の回転機ＭＧ１，ＭＧ２でエンジンパワーを伝達することができる。
【００７２】
つまり、比較的大きな減速比Ｉを用いるエンジン１２の高負荷時にＵ／ＤＨＶモードを成立させ、比較的小さな減速比Ｉを用いるエンジン１２の低負荷時又は高車速時にＯ／ＤＨＶモードを成立させるように、Ｕ／ＤＨＶモードとＯ／ＤＨＶモードとを使い分けることで、回転機ＭＧ１，ＭＧ２の各トルクや各回転速度の増加が防止又は抑制され、高車速時には動力循環パワーが低減される。このことは、電気パスにおけるエネルギ変換損失が減り、燃費の向上につながる。又は、回転機ＭＧ１，ＭＧ２の小型化につながる。
【００７３】
図１７及び図１８は、各々、エンジン走行とモータ走行との切替制御に用いる走行モード切替マップの一例を示す図である。これらの走行モード切替マップは、各々、車速Ｖと車両１０の走行負荷（以下、車両負荷という）（例えば要求駆動トルク）とを変数としてエンジン走行領域とモータ走行領域との境界線を有する予め実験的に或いは設計的に求められて記憶された（すなわち予め定められた）関係である。見方を換えれば、これらの走行モード切替マップは、各々、何れの走行モードを成立させるかを決める予め定められた関係である。
【００７４】
図１７は、バッテリ容量ＳＯＣを保持した状態で走行するＣＳ（Charge Sustain）走行での動力伝達装置１４の状態遷移（つまり車両１０の走行モードの切替え）を示している。この図１７は、車両１０が、例えばバッテリ容量ＳＯＣが元々比較的少なく設定されたハイブリッド車両等である場合に用いられる。又は、この図１７は、車両１０が、例えばバッテリ容量ＳＯＣが元々比較的多く設定されたプラグインハイブリッド車両、レンジエクステンデッド車両等においてバッテリ容量ＳＯＣを保持するモードが成立された場合に用いられる。一方で、図１８は、バッテリ容量ＳＯＣを消費しながら走行するＣＤ（Charge Depleting）走行での動力伝達装置１４の状態遷移（つまり車両１０の走行モードの切替え）を示している。この図１８は、車両１０が、例えばバッテリ容量ＳＯＣが元々比較的多く設定されたプラグインハイブリッド車両やレンジエクステンデッド車両等においてバッテリ容量ＳＯＣを消費するモードが成立された場合に用いられる。車両１０が、例えばバッテリ容量ＳＯＣが元々比較的少なく設定されたハイブリッド車両等である場合には、この図１８を用いないことが好ましい。
【００７５】
図１７において、高負荷時にはＵ／ＤＨＶモードが成立され、低負荷時又は高車速時にはＯ／ＤＨＶモードが成立され易いように、車速Ｖ及び車両負荷等の走行状態に応じた各走行モードの領域が設定されている。又、バッテリユニット５２の電力持ち出しが可能である場合（或いはエンジン１２の暖機やエンジン１２の運転による各装置の暖機が完了している場合）、エンジン１２の運転効率が悪くなる領域では、モータ走行において第２回転機ＭＧ２の力行を行う。その為、破線に示すような低車速且つ低負荷となる領域で、単独駆動ＥＶモードの領域が設定されている。又、車両負荷が負の場合、Ｕ／ＤＨＶモード又はＯ／ＤＨＶモードにおいて、エンジン１２の負トルクを用いたエンジンブレーキを作用させる減速走行が行われる。バッテリユニット５２の電力受け入れが可能である場合、モータ走行において第２回転機ＭＧ２による回生制御を行う。その為、一点鎖線に示すような車両負荷が負となる領域で、単独駆動ＥＶモードの領域が設定されている。このように設定されたＣＳ走行での走行モード切替マップでは、例えば発進時は、前後進走行共にＵ／ＤＨＶモードが成立させられる。これにより、エンジンパワーＰeをより有効に使える為、発進加速性能が向上する。前進走行で車速Ｖの上昇と共に、第１動力伝達部２０の減速比Ｉが「１」付近になる。この状態で、直結固定段モードに移行させても良い。低車速走行では、エンジン回転速度Ｎeが極低回転となる為、Ｕ／ＤＨＶモードから直接Ｏ／ＤＨＶモードに移行させる。直結固定段モードは、回転機ＭＧ１，ＭＧ２を介した動力伝達が無い為、機械エネルギーと電気エネルギーとの変換に伴う熱損失が無くなる。よって、燃費向上や発熱回避に有利である。その為、トーイング等の高負荷時や高車速時は、積極的に直結固定段モードに移行させても良い。尚、モータ走行を選択するスイッチが運転者によって操作されてモータ走行が選択されているときには、破線に示すような領域で単独駆動ＥＶモードが成立させられる。
【００７６】
図１８において、車両負荷が低い領域では単独駆動ＥＶモードが成立され、車両負荷が高い領域では両駆動ＥＶモードが成立されるように、車速Ｖ及び車両負荷等の走行状態に応じた各走行モードの領域が設定されている。両駆動ＥＶモードでは、第１回転機ＭＧ１及び第２回転機ＭＧ２の運転効率に基づいて（例えば電費向上、回転機ＭＧ１，ＭＧ２の温度低下、電力制御ユニット５０の温度低下等を目的として）、第１回転機ＭＧ１と第２回転機ＭＧ２とのパワー分担割合が決められる。又、バッテリユニット５２の最大出力や回転機ＭＧ１，ＭＧ２の最大出力によっては、又は、モータ走行時における車速Ｖの上昇による動力伝達装置１４の何れかの回転要素の回転速度の上昇がエンジン１２を運転することで緩和されるような場合には、図１８に示すように、高負荷領域や高車速領域にてＨＶ走行モードの領域が設定されて、エンジン１２を走行用の動力源とした状態に移行させても良い。又、車両負荷が負となる領域では、モータ走行において第２回転機ＭＧ２による回生制御が行われるように、単独駆動ＥＶモードの領域が設定されている。このように設定されたＣＤ走行での走行モード切替マップでは、例えば車速Ｖが上昇すると、回転機ＭＧ１，ＭＧ２、差動機構３８，４０等の各要素の回転速度が増大する為、ＣＳ走行での走行モード切替マップで設定されたようなＨＶ走行モードに移行させて、各要素の回転速度が制限内とされるように制御される。尚、単独駆動ＥＶモードでは、第１回転機ＭＧ１とエンジン１２とが切り離される（つまり第１回転機ＭＧ１とエンジン１２との相互間の動力伝達が遮断される）為、単独駆動ＥＶモードの高車速側の領域を両駆動ＥＶモードよりも高車速側に広げても良い。車両負荷が負となる領域での回生制御は、単独駆動ＥＶモードに替えて、両駆動ＥＶモードとしても良い。又、駆動トルクや車速Ｖに上限を設けて、エンジン１２が始動しないようにして、燃料消費しないようにしても良い。
【００７７】
ハイブリッド制御部９２（特には走行モード制御部９４）は、図１７又は図１８に示すような走行モード切替マップに車速Ｖ及び車両負荷（例えば要求駆動トルク）を適用することで、成立させる走行モードが何れの走行モードであるかを判断する。走行モード制御部９４は、判断した走行モードが現在の走行モードである場合には、現在の走行モードをそのまま成立させる一方で、判断した走行モードが現在の走行モードとは異なる場合には、現在の走行モードに替えてその判断した走行モードを成立させる。
【００７８】
ハイブリッド制御部９２は、単独駆動ＥＶモードを成立させた場合には、第２回転機ＭＧ２のみを走行用の動力源とするモータ走行を可能とする。ハイブリッド制御部９２は、両駆動ＥＶモードを成立させた場合には、第１回転機ＭＧ１及び第２回転機ＭＧ２の両方を走行用の動力源とするモータ走行を可能とする。
【００７９】
ハイブリッド制御部９２は、Ｕ／ＤＨＶモード又はＯ／ＤＨＶモードを成立させた場合には、エンジン１２の動力に対する反力を第１回転機ＭＧ１の発電により受け持つことで第２キャリアＣ２にエンジン直達トルクを伝達すると共に第１回転機ＭＧ１の発電電力により第２回転機ＭＧ２を駆動することで駆動輪１６にトルクを伝達して走行するエンジン走行を可能とする。ハイブリッド制御部９２は、Ｕ／ＤＨＶモード又はＯ／ＤＨＶモードでは、公知のエンジン１２の最適燃費線を考慮したエンジン動作点（すなわちエンジン回転速度ＮeとエンジントルクＴeとで表されるエンジン動作点）にてエンジン１２を作動させる。尚、このＵ／ＤＨＶモード又はＯ／ＤＨＶモードでは、第１回転機ＭＧ１の発電電力にバッテリユニット５２からの電力を加えて第２回転機ＭＧ２を駆動することも可能である。
【００８０】
ハイブリッド制御部９２は、直結固定段モードを成立させた場合には、エンジン１２の動力を直接的に第２キャリアＣ２から出力して走行するエンジン走行を可能とする。ハイブリッド制御部９２は、直結固定段モードでは、エンジン１２の動力に加えて、バッテリユニット５２からの電力にて第１回転機ＭＧ１を駆動して、第１回転機ＭＧ１の動力を直接的に第２キャリアＣ２から出力したり、バッテリユニット５２からの電力にて第２回転機ＭＧ２を駆動して、第２回転機ＭＧ２の動力を駆動輪１６に伝達して走行することも可能である。
【００８１】
ハイブリッド制御部９２は、車両停止時に、バッテリ容量ＳＯＣがバッテリユニット５２の充電が必要であると判断される予め定められた所定容量以下の場合には、出力軸固定段モードを成立させる。ハイブリッド制御部９２は、出力軸固定段モードを成立させた場合には、エンジン１２の動力に対する反力を第１回転機ＭＧ１の発電により受け持つと共に第１回転機ＭＧ１の発電電力を電力制御ユニット５０を介してバッテリユニット５２に充電する。
【００８２】
Ｕ／ＤＨＶモードとＯ／ＤＨＶモードとは、どちらも第１動力伝達部２０が電気式無段変速機として機能させられる。又、第１動力伝達部２０の減速比Ｉが「１」となる状態は、クラッチＣＬ１及びクラッチＣＬｃが共に係合された直結固定段モードの状態（図１５参照）と同等の状態である。従って、ハイブリッド制御部９２（特には走行モード制御部９４）は、クラッチＣＬ１が係合されたＵ／ＤＨＶモードと、クラッチＣＬｃが係合されたＯ／ＤＨＶモードとの切替えを、減速比Ｉが「１」の同期状態のときにクラッチＣＬ１とクラッチＣＬｃとの各作動状態を切り替えることで（直結固定段モードと同等の状態を介して、又は、直結固定段モードを介して）実行する。又は、走行モード制御部９４は、クラッチＣＬ１が係合されたＵ／ＤＨＶモードと、クラッチＣＬｃが係合されたＯ／ＤＨＶモードとの切替えを、クラッチＣＬ１とクラッチＣＬｃとで掴み替えを行う、所謂クラッチツゥクラッチの変速制御にて実行しても良い。
【００８３】
単独駆動ＥＶモードでは、クラッチＣＬ１又はクラッチＣＬｃを係合することで、エンジン１２が連れ回し状態とされる。よって、ハイブリッド制御部９２は、単独駆動ＥＶモードでのモータ走行中にエンジン１２を始動する場合には、クラッチＣＬ１又はクラッチＣＬｃを係合し、エンジン回転速度Ｎeを引き上げて点火する。この際、ハイブリッド制御部９２は、必要に応じて第１回転機ＭＧ１にてエンジン回転速度Ｎeを引き上げても良い。
【００８４】
又は、ハイブリッド制御部９２は、単独駆動ＥＶモードでのモータ走行中にエンジン１２を始動する場合には、エンジン回転速度Ｎeがゼロ[rpm]の状態でクラッチＣＬ１又はクラッチＣＬｃを係合した状態と同じ状態となるように、第１回転機ＭＧ１で差動機構３８，４０の各要素の回転速度を同期制御した後、クラッチＣＬ１を係合した状態と同じ状態ではクラッチＣＬ１を係合し、又は、クラッチＣＬｃを係合した状態と同じ状態ではクラッチＣＬｃを係合し、第１回転機ＭＧ１にてエンジン回転速度Ｎeを引き上げて点火する。つまり、ハイブリッド制御部９２は、単独駆動ＥＶモードでのモータ走行中にエンジン１２を始動する場合には、スタンバイモードを成立させる為の係合装置（クラッチＣＬ１又はクラッチＣＬｃ）は未だ解放されているが差動機構３８，４０の各要素の回転速度はそのスタンバイモードと同等の状態となるように第１回転機ＭＧ１で同期制御した後、そのスタンバイモードを成立させる為の係合装置を係合してスタンバイモードを一旦成立させ、そのスタンバイモードの状態から、第１回転機ＭＧ１にてエンジン回転速度Ｎeを引き上げて点火する。このように、単独駆動ＥＶモードでのモータ走行中にエンジン１２を始動する場合には、スタンバイモードを経由してエンジン走行に移行しても良い。この場合、エンジン走行時の走行モード（Ｕ／ＤＨＶモード又はＯ／ＤＨＶモード）に合わせて、経由するスタンバイモード（Ｕ／Ｄインプットスプリット又はＯ／Ｄインプットスプリット）が成立させられれば良い。
【００８５】
エンジン１２の始動に際して、駆動輪１６に連結された第２キャリアＣ２には、エンジン回転速度Ｎeを上昇させる為の反力として、運転停止中のエンジン１２の回転を引き上げることに伴うエンジン１２の負トルク（エンジン引き込みトルクともいう）が伝達される為、駆動トルクの落ち込みが生じる。ハイブリッド制御部９２は、単独駆動ＥＶモードでのモータ走行中にエンジン１２を始動する場合には、エンジン始動時のショックを抑制する為に、駆動トルクの落ち込みを補償するトルク（反力キャンセルトルクともいう）を第２回転機ＭＧ２により追加で出力させる。
【００８６】
クラッチＣＬ１及びブレーキＢＲ１が係合された状態である両駆動ＥＶモードでは、ブレーキＢＲ１を解放することで、エンジン１２が連れ回し状態とされる。よって、ハイブリッド制御部９２は、両駆動ＥＶモードでのモータ走行中にエンジン１２を始動する場合には、ブレーキＢＲ１を解放した後にクラッチＣＬｃを係合し、エンジン回転速度Ｎeを引き上げて点火する。この際、ハイブリッド制御部９２は、必要に応じて第１回転機ＭＧ１にてエンジン回転速度Ｎeを引き上げても良い。又は、ハイブリッド制御部９２は、両駆動ＥＶモードでのモータ走行中にエンジン１２を始動する場合には、ブレーキＢＲ１を解放し、第１回転機ＭＧ１にてエンジン回転速度Ｎeを引き上げて点火する。又は、両駆動ＥＶモードでは、クラッチＣＬ１及びブレーキＢＲ１を解放することで単独駆動ＥＶモードと同等の状態とされるので、クラッチＣＬ１及びブレーキＢＲ１を解放して、上述した単独駆動ＥＶモードでのエンジン始動を行うことも可能である。ハイブリッド制御部９２は、両駆動ＥＶモードでのモータ走行中にエンジン１２を始動する場合には、反力キャンセルトルクを第２回転機ＭＧ２により追加で出力させる。
【００８７】
ここで、車両１０におけるエンジンブレーキ走行について説明する。ハイブリッド制御部９２は、運転者によるアクセル操作（例えばアクセル開度θacc、アクセル開度θaccの減少速度）、車速Ｖ、降坂路の勾配、ホイールブレーキを作動させる為の運転者によるブレーキ操作（例えばブレーキ操作量、ブレーキ操作速度）などに基づいて目標減速度を設定する。ハイブリッド制御部９２は、設定した目標減速度が実現されるように車両１０の制動トルクを発生させる。車両１０の制動トルクは、例えば第２回転機ＭＧ２による回生トルク、ホイールブレーキトルク、エンジンブレーキトルクなどによって発生させられる。車両１０の制動トルクは、例えば燃費向上の観点では、第２回転機ＭＧ２による回生トルクにて優先して発生させられる。車両１０の制動トルクは、例えばバッテリ容量ＳＯＣが多いなどの要因によって第２回転機ＭＧ２による回生トルクが制限されたり、及び／又は、大きな目標減速度が設定されたり、及び／又は、ブレーキ操作が為されていないなどの場合には、回生トルクに替えて又は回生トルクに加えて、ホイールブレーキトルク及び／又はエンジンブレーキトルクにて発生させられる。走行モード制御部９４は、車両１０の制動トルクの一部又は全部をエンジンブレーキトルクにて発生させる場合には、エンブレモードを成立させる。エンブレモードでの走行によってエンジンブレーキ走行が実現される。
【００８８】
走行モード制御部９４は、例えば図１７に示したような走行モード切替マップを用いて、Ｕ／ＤエンブレモードとＯ／Ｄエンブレモードとを選択的に成立させる。走行モード制御部９４は、例えば図１７に示したような走行モード切替マップにおいて、車速Ｖ及び車両負荷等の走行状態が車両負荷の負の領域におけるＵ／Ｄインプットスプリットの領域にある場合には、Ｕ／Ｄエンブレモードを成立させる。一方で、走行モード制御部９４は、例えば図１７に示したような走行モード切替マップにおいて、車速Ｖ及び車両負荷等の走行状態が車両負荷の負の領域におけるＯ／Ｄインプットスプリットの領域にある場合には、Ｏ／Ｄエンブレモードを成立させる。
【００８９】
ところで、エンジンブレーキ走行中に車速Ｖが変化するなどによって走行状態が変化すると、エンブレモードが切り替えられる。エンブレモードが切り替えられると、エンジン回転速度Ｎeが変化させられてエンジンブレーキトルクが変化させられる可能性がある。エンジンブレーキトルクの変化はショックを発生させるおそれがあるので、そのエンジンブレーキトルクの変化をできるだけ抑制することが望ましい。尚、エンジンブレーキ走行では、基本的には車速Ｖが減少するが、降坂路などの走行では車速Ｖが上昇する可能性もある。従って、エンブレモードの切替えは、例えば車速Ｖの低下に伴うＯ／ＤエンブレモードからＵ／Ｄエンブレモードへの切替えはもちろんのこと、車速Ｖの上昇に伴うＵ／ＤエンブレモードからＯ／Ｄエンブレモードへの切替えも考えられる（図１７の走行モード切替マップ参照）。
【００９０】
そこで、走行モード制御部９４は、エンジンブレーキ走行中にＵ／ＤエンブレモードとＯ／Ｄエンブレモードとの間で走行モードを切り替えるときには、その走行モードの切替え過渡中にエンジン回転速度Ｎeが一定に維持されるようにその走行モードの切替えを実行する。
【００９１】
走行モード制御部９４は、例えば図１７に示したような走行モード切替マップを用いて、Ｕ／Ｄエンブレモード及びＯ／Ｄエンブレモードのうちの一方の走行モードでの走行中に他方の走行モードへ切り替える走行モードの切替えが生じたか否かを判定する。つまり、走行モード制御部９４は、エンブレモードでの走行中に（すなわちエンジンブレーキ走行中に）、Ｕ／ＤエンブレモードとＯ／Ｄエンブレモードとの間での走行モードの切替え（エンブレモードの切替えともいう）が生じたか否かを判定する。走行モード制御部９４は、そのような走行モードの切替えが生じたと判定した場合にＵ／ＤエンブレモードとＯ／Ｄエンブレモードとの間で走行モードを切り替える。
【００９２】
走行モード制御部９４は、Ｕ／ＤエンブレモードとＯ／Ｄエンブレモードとの間での切替えを、前述したＵ／ＤＨＶモードとＯ／ＤＨＶモードとの間での切替えと同様に、減速比Ｉが「１」の同期状態のときにクラッチＣＬ１とクラッチＣＬｃとの各作動状態を切り替えることで、直結固定段モードの状態（図１５参照）と同等の状態を介して、又は、直結固定段モードを介して実行する。このように、走行モード制御部９４は、第１差動機構３８及び第２差動機構４０の各回転要素が一体回転させられる状態のときにクラッチＣＬ１及びクラッチＣＬｃの各作動状態を切り替えるように制御することで、Ｕ／ＤエンブレモードとＯ／Ｄエンブレモードとの間での走行モードの切替えを実行する。このような走行モードの切替えにおける制御を同期切替え制御と称する。
【００９３】
又は、走行モード制御部９４は、Ｕ／ＤエンブレモードとＯ／Ｄエンブレモードとの間での切替えを、前述したＵ／ＤＨＶモードとＯ／ＤＨＶモードとの間での切替えと同様に、クラッチＣＬ１とクラッチＣＬｃとで掴み替えを行う、所謂クラッチツゥクラッチの変速制御にて実行しても良い。この際、走行モード制御部９４は、エンジン回転速度Ｎeを一定に維持するように第１回転機ＭＧ１を駆動制御する。このように、走行モード制御部９４は、クラッチＣＬ１及びクラッチＣＬｃのうちの走行モードの切替え前に係合されている係合装置を解放しつつクラッチＣＬ１及びクラッチＣＬｃのうちの走行モードの切替え前に解放されている係合装置を係合するように制御することで、Ｕ／ＤエンブレモードとＯ／Ｄエンブレモードとの間での走行モードの切替えを実行すると共に、その走行モードの切替え過渡中には第１回転機ＭＧ１によってエンジン回転速度Ｎeを一定に維持するように制御する。このような走行モードの切替えにおける制御を非同期切替え制御と称する。
【００９４】
前記非同期切替え制御におけるクラッチツゥクラッチの変速制御では、走行モードの切替え前に解放されている係合装置を係合する過渡中に（すなわち、第１サンギヤＳ１（第３回転要素）の回転速度が変化する過渡中に）エンジン回転速度Ｎeが変化する可能性がある。その為、走行モード制御部９４は、第１サンギヤＳ１の回転変化中に、第１回転機ＭＧ１によってエンジン回転速度Ｎeを一定に維持するように制御する。
【００９５】
走行モード制御部９４は、同期切替え制御及び非同期切替え制御のどちらかで走行モードの切替えを実行する。その為、走行モード制御部９４は、同期切替え制御及び非同期切替え制御のうちの少なくとも一方の制御を実行する機能を有していれば良い。但し、同期切替え制御は、車速Ｖの変化、及び／又は、必要なエンジンブレーキトルクの変化などによって、減速比Ｉが「１」の同期状態に近づかなければ実行することができない。同期切替え制御の機能しか有していない場合、減速比Ｉが「１」の同期状態に近づかないときには、走行モードの切替えが実行されず、現在のエンブレモードが維持される。
【００９６】
又は、走行モード制御部９４は、同期切替え制御及び非同期切替え制御の両方の制御を実行する機能を有していても良い。この場合は、走行モード制御部９４は、同期切替え制御と非同期切替え制御とを選択的に実行することが可能である。両方の制御を実行する機能を有している場合、第１回転機ＭＧ１によるエンジン１２の回転制御を行うことなく、減速比Ｉが「１」の同期状態のときに係合装置の各作動状態を切り替えるだけの単一の制御となる、同期切替え制御を優先して実行することが好ましい。その為、走行モード制御部９４は、同期切替え制御を実行できる走行状態であるときには、同期切替え制御を非同期切替え制御に優先して実行する。
【００９７】
具体的には、電子制御装置９０は、エンジンブレーキ走行中における走行モードの切替えに伴うショックを抑制する制御機能を実現する為に、更に、状態判定手段すなわち状態判定部９６を備えている。
【００９８】
状態判定部９６は、走行モード制御部９４による同期切替え制御を実行できる走行状態であるか否かを判定する。エンジンブレーキ走行中では、エンジンブレーキトルクを実現するエンジン回転速度Ｎeが決まっているので、現在の車速Ｖの変化（例えば車速Ｖの低下）が続くと減速比Ｉが「１」の同期状態に到達するのであれば、同期切替え制御を実行できる走行状態である。つまり、現在の車速Ｖの変化が、減速比Ｉが「１」の同期状態に近づく方向の変化であれば、同期切替え制御を実行できる走行状態となる。その為、状態判定部９６は、走行モード制御部９４によりエンブレモードでの走行中にエンブレモードの切替えが生じたと判定された場合には、車速Ｖの変化に伴って第１差動機構３８及び第２差動機構４０の各回転要素が一体回転させられる状態に近づくか否かに基づいて、走行モード制御部９４による同期切替え制御を実行できる走行状態であるか否かを判定する。尚、必要なエンジンブレーキトルクが変化すればそのエンジンブレーキトルクを実現するエンジン回転速度Ｎeも変化するので、状態判定部９６は、エンジンブレーキトルクの変化に伴うエンジン回転速度Ｎeの変化を見て、同期切替え制御を実行できる走行状態であるか否かを判定するしても良い。
【００９９】
状態判定部９６は、減速比Ｉが「１」の同期状態となったか否か（つまり、第１差動機構３８及び第２差動機構４０の各回転要素が実際に一体回転させられる状態となったか否か）を判定する。
【０１００】
走行モード制御部９４は、状態判定部９６により同期切替え制御を実行できる走行状態であると判定された場合には、第１差動機構３８及び第２差動機構４０の各回転要素が実際に一体回転させられる状態となるまで同期切替え制御の実行を待機する。走行モード制御部９４は、状態判定部９６により同期切替え制御を実行できる走行状態であると判定されたときに、状態判定部９６により減速比Ｉが「１」の同期状態でないと判定された場合には、同期切替え制御の実行を待機する。走行モード制御部９４は、状態判定部９６により同期切替え制御を実行できる走行状態であると判定されたときに、状態判定部９６により減速比Ｉが「１」の同期状態となったと判定された場合には、同期切替え制御を実行する。走行モード制御部９４は、状態判定部９６により同期切替え制御を実行できる走行状態でないと判定された場合には、非同期切替え制御を実行する。
【０１０１】
図１９は、電子制御装置９０の制御作動の要部すなわちエンジンブレーキ走行中における走行モードの切替え（つまりエンブレモードの切替え）に伴うショックを抑制する為の制御作動を説明するフローチャートであり、例えば繰り返し実行される。図２０は、図１９のフローチャートに示す制御作動を実行した場合のタイムチャートの一例である。
【０１０２】
図１９において、先ず、走行モード制御部９４の機能に対応するステップ（以下、ステップを省略する）Ｓ１０において、エンブレモードでの走行中にエンブレモードの切替えが生じたか否かが判定される。このＳ１０の判断が否定される場合は本ルーチンが終了させられる。このＳ１０の判断が肯定される場合は状態判定部９６の機能に対応するＳ２０において、同期切替え制御を実行できる走行状態であるか否かが判定される。このＳ２０の判断が肯定される場合は走行モード制御部９４の機能に対応するＳ３０において、同期切替え制御の実行が待機させられる。次いで、状態判定部９６の機能に対応するＳ４０において、減速比Ｉが「１」の同期状態となったか否かが判定される。このＳ４０の判断が否定される場合は上記Ｓ３０に戻される。このＳ４０の判断が肯定される場合は走行モード制御部９４の機能に対応するＳ５０において、同期切替え制御が実行される。減速比Ｉが「１」の同期状態でエンブレモードが切り替えられるので、切替え前後でエンジン回転速度Ｎeが変化せず、エンジンブレーキトルクも変化しない。但し、ドライバビリティ上問題にならない範囲なら、エンジンブレーキトルクが多少変化しても許容される。つまり、減速比Ｉが「１」の同期状態でなく、その同期状態に近い状態で同期切替え制御が実行されて、エンジン回転速度Ｎeが多少変化しても良い。上記Ｓ２０の判断が否定される場合は走行モード制御部９４の機能に対応するＳ６０において、非同期切替え制御が実行される。非同期切替え制御では、第１回転機ＭＧ１を用いて、非同期切替え制御の過渡中にエンジン回転速度Ｎeが変化しないように制御される。この非同期切替え制御では、できるだけエンジン回転速度Ｎeの変化が抑制されれば良い。
【０１０３】
図２０は、Ｏ／ＤエンブレモードからＵ／Ｄエンブレモードへのエンブレモードの切替えを非同期切替え制御で実行した場合のタイムチャートの一例を示す図である。図２０において、ｔ１時点は、Ｏ／ＤエンブレモードからＵ／Ｄエンブレモードへのエンブレモードの切替えが発生した時点を示している。そのようなエンブレモードの切替えが発生したことに伴って非同期切替え制御が実行される（ｔ１時点−ｔ４時点参照）。具体的には、ＣＬｃ油圧Ｐclcが排出されてクラッチＣＬｃが解放され、ＣＬ１油圧Ｐcl1が上昇させられてクラッチＣＬ１が係合される、クラッチツゥクラッチの変速制御が行われて、Ｏ／ＤエンブレモードからＵ／Ｄエンブレモードへ切り替えられる。この際、エンジン回転速度Ｎeは、ＭＧ１回転速度Ｎgの制御によってできるだけ一定に維持される。
【０１０４】
上述のように、本実施例によれば、エンジンブレーキ走行中にＵ／Ｄエンブレモード（第１走行モード）とＯ／Ｄエンブレモード（第２走行モード）との間で走行モードを切り替えるときには、その走行モードの切替え過渡中にエンジン回転速度Ｎeが一定に維持されるようにその走行モードの切替えが実行されるので、その走行モードの切替え時にエンジン回転速度Ｎeの変化が抑制されてエンジンブレーキトルクの変動が抑制され得る。よって、エンジンブレーキ走行中における走行モードの切替え（つまりエンブレモードの切替え）に伴うショックを抑制することができる。
【０１０５】
また、本実施例によれば、第１差動機構３８及び第２差動機構４０の各回転要素が一体回転させられる状態のときにクラッチＣＬ１及びクラッチＣＬｃの各作動状態を切り替えるように制御されることでエンブレモードの切替えが実行されるので（つまり同期切替え制御が実行されるので）、そのエンブレモードの切替え過渡中に第１差動機構３８及び第２差動機構４０の各回転要素の回転速度の変化が抑制されて、エンジン回転速度Ｎeが一定に維持されるようにそのエンブレモードの切替えが実行される。
【０１０６】
また、本実施例によれば、クラッチＣＬ１とクラッチＣＬｃとで掴み替えを行う、所謂クラッチツゥクラッチの変速制御が実行されることでエンブレモードの切替えが実行されると共に、そのエンブレモードの切替え過渡中には第１回転機ＭＧ１によってエンジン回転速度Ｎeを一定に維持するように制御されるので（つまり非同期切替え制御が実行されるので）、そのエンブレモードの切替え過渡中にエンジン回転速度Ｎeが一定に維持されるようにそのエンブレモードの切替えが実行される。
【０１０７】
また、本実施例によれば、第１サンギヤＳ１（第３回転要素）の回転変化中に第１回転機ＭＧ１によってエンジン回転速度Ｎeを一定に維持するように制御されるので、エンジン回転速度Ｎeの変化が適切に抑制され得る。
【０１０８】
また、本実施例によれば、エンジンブレーキ走行中にエンブレモードを切り替えるときには、同期切替え制御と非同期切替え制御とが選択的に実行されるので、エンブレモードの切替え過渡中にエンジン回転速度Ｎeが一定に維持されるようにそのエンブレモードの切替えが実行される。又、同期切替え制御を実行できる走行状態であるときにはその同期切替え制御が非同期切替え制御に優先して実行されるので、第１回転機ＭＧ１によるエンジン１２の回転制御を行うことなくクラッチＣＬ１及びクラッチＣＬｃの各作動状態を切り替えるだけの単一の制御でエンジン回転速度Ｎeが一定に維持されるようにそのエンブレモードの切替えが実行される機会が増やされる。
【０１０９】
また、本実施例によれば、車速Ｖの変化に伴って第１差動機構３８及び第２差動機構４０の各回転要素が一体回転させられる状態に近づくか否かに基づいて、同期切替え制御を実行できる走行状態であるか否かが判定されるので、同期切替え制御の実行を優先しつつ、同期切替え制御と非同期切替え制御とが選択的に実行され得る。
【０１１０】
また、本実施例によれば、同期切替え制御を実行できる走行状態であると判定された場合には、第１差動機構３８及び第２差動機構４０の各回転要素が実際に一体回転させられる状態となるまでその同期切替え制御の実行が待機されるので、第１差動機構３８及び第２差動機構４０の各回転要素が一体回転させられる状態のときにクラッチＣＬ１及びクラッチＣＬｃの各作動状態を切り替えるように適切に制御される。
【０１１１】
また、本実施例によれば、例えば図１７に示したような走行モード切替マップを用いてエンブレモードの切替えが生じたか否かが判定され、そのエンブレモードの切替えが生じたと判定された場合にエンブレモードが切り替えられるので、走行状態に応じたエンブレモードにてエンジンブレーキが作用させられると共に、エンブレモードの切替え時にはエンジンブレーキトルクの変動が抑制される。
【０１１２】
以上、本発明の実施例を図面に基づいて詳細に説明したが、本発明はその他の態様においても適用される。
【０１１３】
例えば、前述の実施例では、第１係合装置として、第１回転要素ＲＥ１と第２回転要素ＲＥ２とを選択的に連結するクラッチＣＬ１を例示したが、この態様に限らない。例えば、第１係合装置は、図２１の車両１００、及び図２２−図２３の各共線図に示すように、第２回転要素ＲＥ２と第３回転要素ＲＥ３とを選択的に連結するクラッチＣＬ１でも良い。又は、第１係合装置は、第１回転要素ＲＥ１と第３回転要素ＲＥ３とを選択的に連結するクラッチでも良い（図３３の車両４００参照）。要は、第１係合装置は、第１回転要素ＲＥ１、第２回転要素ＲＥ２、及び第３回転要素ＲＥ３のうちの何れか２つの回転要素を連結するクラッチであれば良い。図２２は、図２１の車両１００におけるＵ／ＤＨＶモード（前進）時の共線図を示している。図２３は、図２１の車両１００におけるＯ／ＤＨＶモード（前進）時の共線図を示している。
【０１１４】
また、前述の実施例では、第１差動機構３８及び第２差動機構４０の各々における各回転要素ＲＥ１−ＲＥ６の回転速度を相対的に表すことができる共線図（図４−図１６参照）において、縦線Ｙ１は第１回転機ＭＧ１が連結された第４回転要素ＲＥ４の回転速度を、縦線Ｙ２はエンジン１２が連結された第１回転要素ＲＥ１の回転速度を、縦線Ｙ３はブレーキＢＲ１を介してケース１８に選択的に連結される第２回転要素ＲＥ２の回転速度、及び出力軸２４に連結された第５回転要素ＲＥ５の回転速度を、縦線Ｙ４は相互に連結された、第３回転要素ＲＥ３及び第６回転要素ＲＥ６の回転速度をそれぞれ示していたが、この態様に限らない。例えば、図２４の車両２００、及び図２５−図２７の各共線図に示すように、縦線Ｙ１はブレーキＢＲ１を介してケース１８に選択的に連結される第２回転要素ＲＥ２の回転速度、及び第１回転機ＭＧ１が連結された第４回転要素ＲＥ４の回転速度を、縦線Ｙ２はエンジン１２が連結された第１回転要素ＲＥ１の回転速度を、縦線Ｙ３は出力軸２４に連結された第５回転要素ＲＥ５の回転速度を、縦線Ｙ４は相互に連結された、第３回転要素ＲＥ３及び第６回転要素ＲＥ６の回転速度をそれぞれ示す共線図にて各回転要素ＲＥ１−ＲＥ６の回転速度が相対的に表されるように、第１差動機構及び第２差動機構が構成されていても良い。この場合には、クラッチＣＬｃは、第２回転要素ＲＥ２と第４回転要素ＲＥ４とを選択的に連結する第２係合装置である。尚、この場合には、ブレーキＢＲ１を係合した状態で実現される、Ｕ／ＤＨＶモード逆転入力（後進）を成立させることはできない。この場合には、図２５−図２６の各共線図、及び図２８の図表に示すように、Ｕ／ＤＨＶモード（前進）において、クラッチＣＬ１を係合した状態で実現される、エンジン回転速度Ｎeが等速で入力されるロー入力の場合と、ブレーキＢＲ１を係合した状態で実現される、エンジン回転速度Ｎeが増速されて入力されるハイ入力の場合とを成立させることができる。図２５は、図２４の車両２００におけるＵ／ＤＨＶモード（前進）のロー入力時の共線図を示している。図２６は、図２４の車両２００におけるＵ／ＤＨＶモード（前進）のハイ入力時の共線図を示している。図２７は、図２４の車両２００におけるＯ／ＤＨＶモード（前進）時の共線図を示している。図２８は、図２４の車両２００において、各走行モードにおけるクラッチＣＬ１、ブレーキＢＲ１、及びクラッチＣＬｃの各作動状態を示す図表である。
【０１１５】
また、前述の実施例では、クラッチＣＬ１を係合した状態でＵ／ＤＨＶモードが成立させられ、又、クラッチＣＬｃを係合した状態でＯ／ＤＨＶモードが成立させられたが、この態様に限らない。例えば、図２９の車両３００、図３０−図３１の各共線図、及び図３２の図表に示すように、又は、図３３の車両４００、図３４−図３６の各共線図、及び図３７の図表に示すように、クラッチＣＬｃを係合した状態でＵ／ＤＨＶモードが成立させられ、又、クラッチＣＬ１を係合した状態でＯ／ＤＨＶモードが成立させられるように、第１差動機構及び第２差動機構が構成されていても良い。この場合、クラッチＣＬ１の係合によってエンジンブレーキ走行が可能な第１走行モードはＯ／Ｄエンブレモードであり、クラッチＣＬｃの係合によってエンジンブレーキ走行が可能な第２走行モードはＵ／Ｄエンブレモードである。
【０１１６】
また、この場合には、図２９の車両３００、及び図３０−図３１の各共線図に示すように、縦線Ｙ１は第１回転機ＭＧ１が連結された第４回転要素ＲＥ４の回転速度を、縦線Ｙ２は相互に連結された、第３回転要素ＲＥ３及び第６回転要素ＲＥ６の回転速度を、縦線Ｙ３はブレーキＢＲ１を介してケース１８に選択的に連結される第２回転要素ＲＥ２の回転速度、及び出力軸２４に連結された第５回転要素ＲＥ５の回転速度を、縦線Ｙ４はエンジン１２が連結された第１回転要素ＲＥ１の回転速度をそれぞれ示す共線図にて各回転要素ＲＥ１−ＲＥ６の回転速度が相対的に表されるように、第１差動機構及び第２差動機構が構成されている。この構成では、クラッチＣＬｃは、第２回転要素ＲＥ２と第５回転要素ＲＥ５とを選択的に連結する第２係合装置である。図３０は、図２９の車両３００におけるＵ／ＤＨＶモード（前進）時の共線図を示している。図３１は、図２９の車両３００におけるＯ／ＤＨＶモード（前進）時の共線図を示している。図３２は、図２９の車両３００において、各走行モードにおけるクラッチＣＬ１、ブレーキＢＲ１、及びクラッチＣＬｃの各作動状態を示す図表である。
【０１１７】
或いは、図３３の車両４００、図３４−図３６の各共線図に示すように、縦線Ｙ１はブレーキＢＲ１を介してケース１８に選択的に連結される第２回転要素ＲＥ２の回転速度、及び第１回転機ＭＧ１が連結された第４回転要素ＲＥ４の回転速度を、縦線Ｙ２は相互に連結された、第３回転要素ＲＥ３及び第６回転要素ＲＥ６の回転速度を、縦線Ｙ３は出力軸２４に連結された第５回転要素ＲＥ５の回転速度を、縦線Ｙ４はエンジン１２が連結された第１回転要素ＲＥ１の回転速度をそれぞれ示す共線図にて各回転要素ＲＥ１−ＲＥ６の回転速度が相対的に表されるように、第１差動機構及び第２差動機構が構成されている。この構成では、クラッチＣＬｃは、第２回転要素ＲＥ２と第４回転要素ＲＥ４とを選択的に連結する第２係合装置である。尚、この構成では、図３５−図３６の各共線図、及び図３７の図表に示すように、Ｏ／ＤＨＶモード（前進）において、ブレーキＢＲ１を係合した状態で実現される、エンジン回転速度Ｎeが減速されて入力されるロー入力の場合と、クラッチＣＬ１を係合した状態で実現される、エンジン回転速度Ｎeが等速で入力されるハイ入力の場合とを成立させることができる。図３４は、図３３の車両４００におけるＵ／ＤＨＶモード（前進）時の共線図を示している。図３５は、図３３の車両４００におけるＯ／ＤＨＶモード（前進）のロー入力時の共線図を示している。図３６は、図３３の車両４００におけるＯ／ＤＨＶモード（前進）のハイ入力時の共線図を示している。図３７は、図３３の車両４００において、各走行モードにおけるクラッチＣＬ１、ブレーキＢＲ１、及びクラッチＣＬｃの各作動状態を示す図表である。
【０１１８】
また、前述の実施例では、第１差動機構３８はダブルピニオン型の遊星歯車機構であり、第２差動機構４０はシングルピニオン型の遊星歯車機構であったが、この態様に限らない。例えば、シングルピニオン型の遊星歯車機構で第１差動機構が構成されていても良い。又は、ダブルピニオン型の遊星歯車機構で第２差動機構が構成されていても良い。従って、第１差動機構における第１サンギヤＳ１、第１キャリアＣ１、及び第１リングギヤＲ１と、第１回転要素ＲＥ１、第２回転要素ＲＥ２、及び第３回転要素ＲＥ３との対応関係、及び、第２差動機構における第２サンギヤＳ２、第２キャリアＣ２、及び第２リングギヤＲ２と、第４回転要素ＲＥ４、第５回転要素ＲＥ５、及び第６回転要素ＲＥ６との対応関係は、前述の実施例における第１差動機構３８及び第２差動機構４０で示した対応関係に限らないことは言うまでもないことである。
【０１１９】
また、前述の実施例では、クラッチＣＬ１、ブレーキＢＲ１、及びクラッチＣＬｃは、湿式の油圧式摩擦係合装置であったが、電気動力によって作動状態が切り替えられる係合装置であっても良い。
【０１２０】
また、前述の実施例では、車両１０，１００，２００，３００，４００は、第２回転要素ＲＥ２をケース１８に選択的に連結するブレーキＢＲ１を備えていたが、この態様に限らない。例えば、車両１０，１００，２００，３００，４００は、第２回転要素ＲＥ２をケース１８に選択的に連結することに替えて、エンジン１２が動力伝達可能に連結された第１回転要素ＲＥ１をケース１８に選択的に連結するブレーキＢＲ１を備える構成のギヤトレーンであっても良い。又は、ブレーキＢＲ１は、必ずしも備えられている必要はない。ブレーキＢＲ１を備えない車両１０，１００，２００，３００，４００であっても、ＨＶ走行モードにおいて、Ｕ／ＤＨＶモードとＯ／ＤＨＶモードとを切り替えることができる。又、ブレーキＢＲ１を備えない車両１０，１００，２００，３００，４００であっても、クラッチＣＬ１の係合によってエンジンブレーキ走行が可能な第１走行モードと、クラッチＣＬｃの係合によってエンジンブレーキ走行が可能な第２走行モードとが選択的に成立させられ得る。又、車両１０，１００，２００，３００，４００は、第２動力伝達部２２が入力軸３６と同軸心に配置されるような連結関係のギヤトレーンであったが、例えば第２動力伝達部２２が入力軸３６の軸心とは別の軸心上に配置されるような連結関係のギヤトレーンなどであっても良い。又、ＦＲ方式の車両１０に好適に用いられる動力伝達装置１４を用いて発明を説明したが、本発明は、例えばＦＦ方式（車両１００，４００参照）、ＲＲ方式など他の方式の車両に用いられる動力伝達装置においても適宜適用することができる。
【０１２１】
尚、上述したのはあくまでも一実施形態であり、本発明は当業者の知識に基づいて種々の変更、改良を加えた態様で実施することができる。
【符号の説明】
【０１２２】
１０：車両
１２：エンジン（機関）
１６：駆動輪
２４：出力軸（出力回転部材）
３８：第１差動機構
Ｃ１：第１キャリア（第１回転要素）
Ｒ１：第１リングギヤ（第２回転要素）
Ｓ１：第１サンギヤ（第３回転要素）
４０：第２差動機構
Ｓ２：第２サンギヤ（第４回転要素）
Ｃ２：第２キャリア（第５回転要素）
Ｒ２：第２リングギヤ（第６回転要素）
９０：電子制御装置（制御装置）
９４：走行モード制御部
９６：状態判定部
ＣＬ１：クラッチ（第１係合装置）
ＣＬｃ：クラッチ（第２係合装置）
ＭＧ１：第１回転機
ＭＧ２：第２回転機
１００，２００，３００，４００：車両
【図１】
2019055717.tif 000003
【図２】
2019055717.tif 000004
【図３】
2019055717.tif 000005
【図４】
2019055717.tif 000006
【図５】
2019055717.tif 000007
【図６】
2019055717.tif 000008
【図７】
2019055717.tif 000009
【図８】
2019055717.tif 000010
【図９】
2019055717.tif 000011
【図１０】
2019055717.tif 000012
【図１１】
2019055717.tif 000013
【図１２】
2019055717.tif 000014
【図１３】
2019055717.tif 000015
【図１４】
2019055717.tif 000016
【図１５】
2019055717.tif 000017
【図１６】
2019055717.tif 000018
【図１７】
2019055717.tif 000019
【図１８】
2019055717.tif 000020
【図１９】
2019055717.tif 000021
【図２０】
2019055717.tif 000022
【図２１】
2019055717.tif 000023
【図２２】
2019055717.tif 000024
【図２３】
2019055717.tif 000025
【図２４】
2019055717.tif 000026
【図２５】
2019055717.tif 000027
【図２６】
2019055717.tif 000028
【図２７】
2019055717.tif 000029
【図２８】
2019055717.tif 000030
【図２９】
2019055717.tif 000031
【図３０】
2019055717.tif 000032
【図３１】
2019055717.tif 000033
【図３２】
2019055717.tif 000034
【図３３】
2019055717.tif 000035
【図３４】
2019055717.tif 000036
【図３５】
2019055717.tif 000037
【図３６】
2019055717.tif 000038
【図３７】
2019055717.tif 000039